(57)【要約】  いくつかの一般的な態様においては、極端紫外線（ＥＵＶ）光源のチャンバ内の構造物の表面は、ある方法を用いて洗浄される。その方法は、チャンバ内にある非導電体に隣接する場所に存在する材料のプラズマ状態を発生させることを含む。材料のプラズマ状態の発生は、非導電体に隣接する場所で電流を電磁的に誘起し、それによって非導電体に隣接する材料を第１の状態からプラズマ状態に変化させることを含む。材料のプラズマ状態はプラズマ粒子を含み、その少なくともいくつかは材料のフリーラジカルである。方法は、プラズマ粒子に構造物表面を通過させて構造物をＥＵＶ光源のチャンバから取り外すことなく構造物表面からデブリを除去することも含む。【選択図】  図２Ａ
2021513097.tif 000002
【特許請求の範囲】
【請求項１】
極端紫外線（ＥＵＶ）光源のチャンバ内の構造物の表面を洗浄する方法であって、前記方法は、
前記チャンバ内にある非導電体に隣接する場所に存在する材料のプラズマ状態を発生させることであって、
前記発生させることは、前記非導電体に隣接する前記場所で電流を電磁的に誘起し、それによって前記非導電体に隣接する前記材料を第１の状態から前記プラズマ状態に変化させることを含み、前記材料の前記プラズマ状態はプラズマ粒子を含み、その少なくともいくつかは前記材料のフリーラジカルである、前記発生させることと、
前記プラズマ粒子に前記構造物表面を通過させて、前記構造物を前記ＥＵＶ光源の前記チャンバから取り外すことなく前記構造物表面からデブリを除去することと、
を備える、方法。
【請求項２】
前記構造物の温度を５０℃未満に維持することを更に備える、請求項１の方法。
【請求項３】
前記構造物表面は、前記チャンバ内に存在する光と光学的に相互作用するとともに前記光を修正するように位置決めされる、請求項１の方法。
【請求項４】
前記材料の前記プラズマ状態を発生させることは、酸素の存在なしに前記材料の前記プラズマ状態を発生させることを備える、請求項１の方法。
【請求項５】
前記材料の前記プラズマ状態を発生させることは、前記構造物表面を横切って流れる前記材料の量を低減させることなしに前記材料の前記プラズマ状態を発生させることを備える、請求項１の方法。
【請求項６】
前記電流を電磁的に誘起することは、前記非導電体に隣接する導電性の管を通じて電流を流すことを備える、請求項１の方法。
【請求項７】
前記導電性の管を通じて流れる前記電流は無線周波数である、請求項６の方法。
【請求項８】
前記電流を電磁的に誘起することは、前記非導電体でマイクロ波放射を発生させること又は前記非導電体に沿って電磁表面波を伝搬することを備える、請求項１の方法。
【請求項９】
前記導電性の管の内部を通じて冷却流体を提供して前記非導電体又は前記構造物の温度を閾値温度未満に維持することを更に備える、請求項６の方法。
【請求項１０】
前記構造物は前記非導電体を含み、
前記非導電体に隣接する前記場所で前記材料の前記プラズマ状態を発生させることは、前記構造物表面に隣接する場所で前記材料の前記プラズマ状態を発生させることを備える、請求項６の方法。
【請求項１１】
前記構造物は前記非導電体とは異なる、請求項６の方法。
【請求項１２】
前記材料の前記プラズマ状態に前記構造物表面を通過させることは、前記非導電体の付近の場所から前記構造物表面の方に向かって及び前記構造物表面を横切って前記プラズマ粒子を移動させることを備える、請求項１１の方法。
【請求項１３】
前記非導電体に隣接する前記場所で前記電流を電磁的に誘起することは、前記チャンバ内において前記非導電体の付近で時間変動磁界を生成することを備え、
前記チャンバ内で前記時間変動磁界を生成することは、前記非導電体に隣接する電気導体を通じて時間変動電流を流すことを備える、請求項１の方法。
【請求項１４】
前記プラズマ粒子は、少なくとも前記材料のイオン、電子、及びフリーラジカルを含む、請求項１の方法。
【請求項１５】
前記材料は水素を備える、請求項１の方法。
【請求項１６】
前記構造物表面からデブリを除去することは、前記構造物表面上で前記プラズマ粒子を前記デブリと化学反応させて前記構造物表面から放出される化学物質を形成することを備える、請求項１の方法。
【請求項１７】
前記放出される化学物質を前記チャンバから除去することを更に備える、請求項１６の方法。
【請求項１８】
前記材料は水素を含み、前記プラズマ粒子は水素のフリーラジカルを含み、
前記基板表面上の前記デブリはスズ又は炭素を含み、
前記放出される化学物質は、前記デブリがスズを含む場合には水素化スズを、又は、前記デブリが炭素を含む場合にはメタンを含む、請求項１６の方法。
【請求項１９】
前記チャンバは大気圧よりも低い圧力に保持される、請求項１の方法。
【請求項２０】
前記非導電体は誘電体で作製される、請求項１の方法。
【請求項２１】
前記電流を電磁的に誘起することは、前記非導電体に隣接する電気導体を通じて電流を流すことを備え、前記電気導体を通じて前記電流を流すことは、第１の周波数の第１の電流を前記電気導体に印加すること、及び前記第１の周波数とは異なる第２の周波数の第２の電流を前記電気導体に印加することを備える、請求項１の方法。
【請求項２２】
前記第１の周波数は無線周波数であり、前記第２の周波数は前記無線周波数よりも低い、請求項２１の方法。
【請求項２３】
前記第１の電流及び前記第２の電流を印加することは、デュアル周波数交流又はパルス直流を前記電気導体に印加することを備える、請求項２１の方法。
【請求項２４】
前記第１の電流を前記第１の周波数で前記電気導体に印加し、それによって前記非導電体に隣接する前記材料を第１の状態から前記プラズマ粒子を含む前記材料のプラズマ状態に変化させ、
前記第２の電流を前記第２の周波数で前記電気導体に印加し、それによって前記構造物表面上のデブリを誘導加熱し蒸発させる、請求項２１の方法。
【請求項２５】
極端紫外線（ＥＵＶ）光源であって、
チャンバと、
ターゲットを前記チャンバ内の相互作用領域の方に向けるように構成されたターゲットデリバリシステムと、を備え、前記ターゲットはプラズマに変換されたときに極端紫外線光を放出する物質を備える、ＥＵＶ光源と、
曝露面を含む前記チャンバ内の構造物と、
前記構造物の付近にあり、前記チャンバから前記構造物を取り外すことなしに前記構造物の前記曝露面からターゲットデブリを除去するように構成された洗浄装置であって、
非導電体に接触する電気導体を備え、
前記非導電体に隣接する場所で電流を電磁的に誘起し、それによって前記チャンバ内に存在する材料を第１の状態からプラズマ粒子を含むプラズマ状態に変化させるように構成されており、前記プラズマ粒子のうち少なくともいくつかは前記材料のフリーラジカル及びイオンである、洗浄装置と、
を備える装置において、
前記非導電体は、前記構造物に対して、前記プラズマ粒子が前記構造物の前記曝露面上の前記デブリに接触するように構成される、装置。
【請求項２６】
前記電気導体に熱的に結合された温度制御システムを更に備え、前記温度制御システムは、前記洗浄装置に隣接する前記構造物の温度を閾値範囲内に維持するように構成された、請求項２５の装置。
【請求項２７】
前記温度制御システムは、前記洗浄装置に隣接する前記構造物の温度を最大閾値未満に維持する、請求項２６の装置。
【請求項２８】
前記最大閾値は５０℃である、請求項２７の装置。
【請求項２９】
前記温度制御システムは、前記電気導体の内部通路を通じて冷却流体を送り込むように構成された流体制御システムを含む、請求項２５の装置。
【請求項３０】
前記曝露面は光と光学的に相互作用するとともに前記光を修正する、請求項２５の装置。
【請求項３１】
前記光は、前記ターゲットと相互作用する増幅光ビームであるか、又は前記ターゲットによって生成されるＥＵＶ光である、請求項３０の装置。
【請求項３２】
前記非導電体に隣接する前記場所から前記曝露面に向かって及び前記曝露面上に前記プラズマ粒子を流すように構成された流れ装置を更に備える、請求項２５の装置。
【請求項３３】
前記電流を電磁的に誘起することは前記電気導体を通じて電流を流すことを備え、前記電気導体を通じて流れる前記電流は無線周波数である、請求項２５の装置。
【請求項３４】
前記曝露面を有する前記構造物と前記非導電体とは同一の物理的構造物である、請求項２５の装置。
【請求項３５】
前記曝露面を有する前記構造物は前記非導電体とは物理的に異なる、請求項２５の装置。
【請求項３６】
前記非導電体は、前記ターゲットデリバリシステムから前記相互作用領域への前記ターゲットのための通路を含むシュラウドを含む、請求項２５の装置。
【請求項３７】
前記曝露面を有する前記構造物は前記ＥＵＶ光源の集光ミラーであり、前記集光ミラーは前記プラズマから放出される前記ＥＵＶ光の少なくとも一部を捕捉するように位置決めされ、前記非導電体は前記集光ミラーの外面周りに位置決めされたリングを含む、請求項２５の装置。
【請求項３８】
前記曝露面を有する前記構造物は前記非導電体であり、
前記ＥＵＶ光源は、前記集光ミラーと中間焦点との間にライナを含み、
前記構造物は前記ライナを備え、前記ライナの内部表面は、前記集光ミラーから前記中間焦点に向かって反射された前記ＥＵＶ光に対向するとともに前記曝露構造物表面を構成する、請求項２５の装置。
【請求項３９】
前記電気導体は、前記ライナの外部表面が前記内部表面の圧力とは異なる圧力にある場合には前記ライナの前記外部表面の外部に位置決めされ、又は、前記電気導体は、前記ライナの前記外部表面が前記内部表面と同一の圧力に保持される場合には前記ライナに埋め込まれ、
前記誘起された電流は前記ライナの前記内部表面にある、請求項３８の装置。
【請求項４０】
前記ライナは、前記集光ミラーに隣接して位置決めされた平坦な基部から前記中間焦点に開口する頂点まで滑らかに先細になった円錐形の形状を有する、請求項３８の装置。
【請求項４１】
前記非導電体は誘電体で作製される、請求項２５の装置。
【請求項４２】
前記誘電体はセラミックを含む、請求項４１の装置。
【請求項４３】
前記セラミックは窒化アルミニウム又は窒化ホウ素を含む、請求項４１の装置。
【請求項４４】
前記ターゲットはスズを含み、前記材料は水素を含み、前記洗浄装置は、酸素の存在なしに前記構造物の前記曝露面からスズデブリ及び炭素デブリのうち１つ以上を除去するように構成される、請求項２５の装置。
【請求項４５】
前記電気導体は、前記非導電体の第１の側と第２の側とにおける圧力が等しい場合には、前記非導電体に埋め込まれ、又は、
前記電気導体は、前記非導電体の前記第１の側における前記圧力が前記第２の側における前記圧力と異なる場合には、前記非導電体の前記第１の側の外部に隣接して前記第１の側の外部にある、請求項２５の装置。
【請求項４６】
前記チャンバは大気圧よりも低い圧力に保持される、請求項２５の装置。
【請求項４７】
前記電気導体に電流を供給するように構成された電源を更に備える、請求項２５の装置。
【請求項４８】
前記電源が接続された制御装置を更に備え、前記制御装置は、前記電源に信号を送信し、それによって前記洗浄装置を動作させるように構成される、請求項４７の装置。
【請求項４９】
前記材料を前記チャンバ内に導入するように構成された流体ポートを更に備える、請求項２５の装置。
【請求項５０】
前記洗浄装置は、前記非導電体に沿って電磁表面波を伝搬すること又は前記非導電体においてマイクロ波放射を発生させることによって、前記非導電体に隣接する場所で電流を電磁的に誘起するように構成される、請求項２５の装置。
【請求項５１】
前記洗浄装置は、前記電気導体に電流を供給するために電気的に接続された電源を含み、
前記電源は、第１の周波数の第１の電流を前記電気導体に供給するとともに第２の周波数の第２の電流を前記電気導体に供給するように構成されており、前記第２の周波数は前記第１の周波数とは異なる、請求項２５の装置。
【請求項５２】
前記第１の周波数は無線周波数であり、前記第２の周波数は無線周波数未満である、請求項５１の装置。
【請求項５３】
前記電源は、デュアル周波数交流又はパルス直流のいずれかを前記電気導体に印加するように構成される、請求項５１の装置。
【請求項５４】
極端紫外線（ＥＵＶ）光源であって、
チャンバと、
ターゲットを前記チャンバ内の相互作用領域の方に向けるように構成されたターゲットデリバリシステムと、を備え、前記ターゲットはプラズマに変換されたときに極端紫外線光を放出する物質を備える、ＥＵＶ光源と、
前記ターゲットデリバリシステムから前記相互作用領域に延びるチャネルを定義する前記チャンバ内のシュラウドであって、前記シュラウドの外部表面は前記ターゲットから生成されるデブリに曝露され、
前記チャネルを定義する非導電体と、
前記非導電体に隣接する電気導体と、を含み、
前記電気導体は、前記シュラウドに隣接する場所で電流を電磁的に誘起し、それによって前記チャンバ内に存在する材料を第１の状態からプラズマ粒子を含むプラズマ状態に変化させ、前記プラズマ粒子のうち少なくともいくつかは前記材料のフリーラジカル及びイオンである、シュラウドと、
を備える装置において、
前記電気導体は、前記非導電体に対して、前記プラズマ粒子が前記曝露シュラウド表面に固定されたデブリと化学反応し、それによって前記曝露シュラウド表面から前記デブリを放出するように位置決めされる、装置。
【請求項５５】
前記電気導体に熱的に結合された温度制御システムを更に備え、前記温度制御システムは、前記チャネル表面の温度を閾値未満に維持するように構成された、請求項５４の装置。
【請求項５６】
前記温度制御装置は、前記チャネル表面を冷却するように構成されており、それによって前記デブリが前記チャネル表面で溶融することを防止する、請求項５５の装置。
【請求項５７】
前記電気導体は前記非導電体に埋め込まれ、及び／又は
前記電気導体は前記非導電体に接触する、請求項５４の装置。
【請求項５８】
前記非導電体は誘電体で作製される、請求項５４の装置。
【請求項５９】
前記電気導体は前記非導電体の外部表面に回り込み、前記電気導体は誘電体材料で被覆される、請求項５４の装置。
【発明の詳細な説明】
【技術分野】
【０００１】
関連出願の相互参照
[0001]  本願は、２０１８年２月１３日に提出された米国出願第６２／６３０，０３６号及び２０１９年１月２２日に提出された米国出願第６２／７９５，１０７号の優先権を主張するものであり、両出願はその全体が参照により本出願に組み込まれる。
【０００２】
[0002]  開示される主題は、極端紫外線光源のチャンバ内において構造物の表面からデブリを洗浄するためのシステム及び方法に関する。
【背景技術】
【０００３】
[0003]  極端紫外線（ＥＵＶ）光、例えば、約５０ｎｍ以下の波長を有し（軟Ｘ線と称されることもある）、約１３ｎｍの波長の光を含む電磁放射が、フォトリソグラフィプロセスにおいて、基板、例えばシリコンウェーハに極めて小さなフィーチャを作製するために用いられ得る。
【０００４】
[0004]  ＥＵＶ光を生成する方法は、プラズマ状態でＥＵＶ領域に輝線を有する元素、例えばキセノン、リチウム、又はスズを有する材料を変換することを含むが、必ずしもこれに限定されない。レーザ生成プラズマ（「ＬＰＰ」）と呼ばれることの多い１つのそのような方法においては、必要とされるプラズマは、例えば材料の液滴、板、テープ、流れ、又はクラスタなどの形をとるターゲット材料を増幅光ビームで照射することによって生成可能である。このプロセスのため、プラズマは一般的に密閉容器、例えば真空チャンバ内で生成され、様々なタイプのメトロロジ（計測）設備を用いて監視される。
【発明の概要】
【０００５】
[0005]  いくつかの一般的な態様においては、極端紫外線（ＥＵＶ）光源のチャンバ内の構造物の表面は、ある方法を用いて洗浄される。その方法は、チャンバ内にある非導電体に隣接する場所に存在する材料のプラズマ状態を発生させることを含む。材料のプラズマ状態の発生は、非導電体に隣接する場所で電流を電磁的に誘起し、それによって非導電体に隣接する材料を第１の状態からプラズマ状態に変化させることを含む。材料のプラズマ状態はプラズマ粒子を含み、その少なくともいくつかは材料のフリーラジカルである。方法は、プラズマ粒子に構造物表面を通過させて構造物をＥＵＶ光源のチャンバから取り外すことなく構造物表面からデブリを除去することも含む。
【０００６】
[0006]  実装形態は以下の特徴のうち１つ以上を含み得る。例えば、方法は、構造物の温度を５０℃未満に維持することを含み得る。
【０００７】
[0007]  構造物表面は、チャンバ内に存在する光と光学的に相互作用するとともに光を修正するように位置決めされ得る。
【０００８】
[0008]  材料のプラズマ状態は、酸素の存在なしに材料のプラズマ状態を発生させることによって発生され得る。材料のプラズマ状態は、構造物表面を横切って流れる材料の量を低減させることなしに材料のプラズマ状態を発生させることによって発生され得る。
【０００９】
[0009]  電流は、非導電体に隣接する導電性の管を通じて電流を流すことによって電磁的に誘起され得る。導電性の管を通じて流れる電流は無線周波数であってもよい。方法は、導電性の管の内部を通じて冷却流体を提供して非導電体又は構造物の温度を閾値温度未満に維持することを含み得る。
【００１０】
[0010]  構造物は、非導電体を含み得る。そして、材料のプラズマ状態は、構造物表面に隣接する場所で材料のプラズマ状態を発生させることによって、非導電体に隣接する場所で発生され得る。
【００１１】
[0011]  構造物は非導電体とは異なり得る。材料のプラズマ状態は、非導電体の付近の場所から構造物表面の方に向かって及び構造物表面を横切ってプラズマ粒子を移動させることによって、構造物表面を通過することができる。
【００１２】
[0012]  電流は、チャンバ内において非導電体の付近で時間変動磁界を生成することによって非導電体に隣接する場所で電磁的に誘起され得る。そして、時間変動磁界は、非導電体に隣接する電気導体を通じて時間変動電流を流すことによってチャンバ内で生成され得る。
【００１３】
[0013]  プラズマ粒子は、少なくとも材料のイオン、電子、及びフリーラジカルを含み得る。材料は水素を含んでいてもよい。
【００１４】
[0014]  デブリは、構造物表面上でプラズマ粒子をデブリと化学反応させて構造物表面から放出される化学物質を形成することによって、構造物表面から除去され得る。方法は、放出される化学物質をチャンバから除去することも含み得る。材料は水素を含んでいてもよく、プラズマ粒子は水素のフリーラジカルを含み得る。基板表面上のデブリはスズを含んでいてもよく、放出される化学物質は水素化スズを含み得る。
【００１５】
[0015]  チャンバは大気圧よりも低い圧力に保持され得る。
【００１６】
[0016]  非導電体は誘電体で作製され得る。
【００１７】
[0017]  電流は、非導電体でマイクロ波放射を発生させること又は非導電体に沿って電磁表面波を伝搬することによって電磁的に誘起され得る。
【００１８】
[0018]  電流は、非導電体に隣接する電気導体を通じて電流を流すことによって電磁的に誘起され得る。電流は、第１の周波数の第１の電流を電気導体に印加するとともに第１の周波数とは異なる第２の周波数の第２の電流を電気導体に印加することによって、電気導体を通じて流され得る。第１の周波数は無線周波数であってもよく、第２の周波数は無線周波数よりも低くてもよい。第１の電流及び第２の電流は、デュアル周波数交流又はパルス直流を電気導体に印加することによって印加され得る。
【００１９】
[0019]  第１の電流は第１の周波数で電気導体に印加されてもよく、それによって、非導電体に隣接する材料を第１の状態からプラズマ粒子を含む材料のプラズマ状態に変化させる。第２の電流は第２の周波数で電気導体に印加されてもよく、それによって構造物表面上のデブリを誘導加熱し蒸発させる。
【００２０】
[0020]  他の一般的な態様において、装置は、極端紫外線（ＥＵＶ）光源と、曝露面（exposed surface）を含むチャンバ内の構造物と、構造物の付近の洗浄装置とを含む。ＥＵＶ光源は、チャンバと、ターゲットをチャンバ内の相互作用領域の方に向けるように構成されたターゲットデリバリシステムとを含む。ターゲットは、プラズマに変換されたときに極端紫外線光を放出する物質を含む。洗浄装置は、チャンバから構造物を取り外すことなしに構造物の曝露面からターゲットデブリを除去するように構成されている。洗浄装置は、非導電体に接触する電気導体を含む。洗浄装置は、非導電体に隣接する場所で電流を電磁的に誘起し、それによってチャンバ内に存在する材料を第１の状態からプラズマ粒子を含むプラズマ状態に変化させるように構成されており、プラズマ粒子のうち少なくともいくつかは材料のフリーラジカル及びイオンである。非導電体は、構造物に対して、プラズマ粒子が構造物の曝露面上のデブリに接触するように構成される。
【００２１】
[0021]  実装形態は以下の特徴のうち１つ以上を含み得る。例えば、装置は、電気導体に熱的に結合された温度制御システムを含み得る。
【００２２】
[0022]  温度制御システムは、洗浄装置に隣接する構造物の温度を閾値範囲内に維持するように構成され得る。温度制御システムは、洗浄装置に隣接する構造物の温度を最大閾値未満に維持し得る。最大閾値は５０℃であり得る。温度制御システムは、電気導体の内部通路を通じて冷却流体を送り込むように構成された流体制御システムを含み得る。
【００２３】
[0023]  曝露面は光学的に光と相互作用し得るとともに光を修正し得る。光は、ターゲットと相互作用する増幅光ビームであってもよく、又はターゲットによって生成されるＥＵＶ光である。
【００２４】
[0024]  非導電体に隣接する場所から曝露面に向かって及び曝露面上にプラズマ粒子を流すように構成された流れ装置を含み得る。
【００２５】
[0025]  電流は電気導体を通じて電流を流すことによって電磁的に誘起されてもよく、電気導体を通じて流れる電流は無線周波数である。
【００２６】
[0026]  曝露面を有する構造物と非導電体とは同一の物理的構造物であってもよい。
【００２７】
[0027]  曝露面を有する構造物は非導電体と物理的に異なっていてもよい。
【００２８】
[0028]  非導電体は、ターゲットデリバリシステムから相互作用領域へのターゲットのための通路を含む又は経路を定義するシュラウドを含み得る。
【００２９】
[0029]  曝露面を有する構造物はＥＵＶ光源の集光ミラーであってもよい。集光ミラーはプラズマから放出されるＥＵＶ光の少なくとも一部を捕捉するように位置決めされてもよく、非導電体は集光ミラーの外面周りに位置決めされたリングを含んでいてもよい。
【００３０】
[0030]  曝露面を有する構造物は非導電体であってもよい。ＥＵＶ光源は、集光ミラーと中間焦点との間にライナを含み得る。構造物はライナを含んでいてもよく、ライナの内部表面は、集光ミラーから中間焦点に向かって反射されたＥＵＶ光に対向するとともに曝露構造物表面を構成する。電気導体は、ライナの外部表面が内部表面の圧力とは異なる圧力にある場合にはライナの外部表面の外部に位置決めされてもよく、又は、電気導体は、ライナの外部表面が内部表面と同一の圧力に保持される場合にはライナに埋め込まれてもよい。誘起された電流はライナの内部表面にあってもよい。ライナは、集光ミラーに隣接して位置決めされた平坦な基部から中間焦点に開口する頂点まで滑らかに先細になった円錐形の形状を有し得る。
【００３１】
[0031]  非導電体は誘電体で作製され得る。誘電体はセラミックを含み得る。セラミックは窒化アルミニウム又は窒化ホウ素を含み得る。
【００３２】
[0032]  ターゲットはスズを含んでいてもよく、材料は水素を含んでいてもよい。洗浄装置は、酸素の存在なしに構造物の曝露面からスズデブリを除去するように構成され得る。
【００３３】
[0033]  電気導体は、非導電体の第１の側と第２の側とにおける圧力が等しい場合には、非導電体に埋め込まれ得る。あるいは、電気導体は、非導電体の第１の側における圧力が第２の側における圧力と異なる場合には、非導電体の第１の側の外部に隣接して第１の側の外部にあってもよい。
【００３４】
[0034]  チャンバは大気圧よりも低い圧力に保持され得る。
【００３５】
[0035]  装置は、電気導体に電流を供給するように構成された電源を含み得る。装置は、電源が接続された制御装置を含んでいてもよく、制御装置は、電源に信号を送信し、それによって洗浄装置を動作させるように構成されている。
【００３６】
[0036]  装置は、材料をチャンバ内に導入するように構成された流体ポートを含み得る。
【００３７】
[0037]  洗浄装置は、非導電体に沿って電磁表面波を伝搬すること又は非導電体においてマイクロ波放射を発生させることによって、非導電体に隣接する場所で電流を電磁的に誘起するように構成され得る。
【００３８】
[0038]  洗浄装置は、電気導体に電流を供給するために電気的に接続された電源を含み得る。電源は、第１の周波数の第１の電流を電気導体に供給するとともに第２の周波数の第２の電流を電気導体に供給するように構成されていてもよく、ここで、第２の周波数は第１の周波数とは異なる。第１の周波数は無線周波数であってもよく、第２の周波数は無線周波数未満であってもよい。電源は、デュアル周波数交流又はパルス直流のいずれかを電気導体に印加するように構成されていてもよい。
【００３９】
[0039]  他の一般的な態様においては、装置は、チャンバと、チャンバ内のシュラウドとを含む極端紫外線（ＥＵＶ）光源を含む。ＥＵＶ光源は、ターゲットをチャンバ内の相互作用領域の方に向けるように構成されたターゲットデリバリシステムを含む。ターゲットは、プラズマに変換されたときに極端紫外線光を放出する物質を含む。シュラウドはターゲットデリバリシステムから相互作用領域に延びるチャネルを定義し、シュラウドの外部表面はターゲットから生成されるデブリに曝露される。シュラウドは、経路を定義する非導電体と、非導電体に隣接する電気導体とを含む。電気導体は、シュラウドに隣接する場所で電流を電磁的に誘起し、それによってチャンバ内に存在する材料を第１の状態からプラズマ粒子を含むプラズマ状態に変化させ、プラズマ粒子のうち少なくともいくつかは材料のフリーラジカル及びイオンである。電気導体は、非導電体に対して、プラズマ粒子が曝露シュラウド表面に固定されたデブリと化学反応し、それによって曝露シュラウド表面からデブリを放出するように位置決めされる。
【００４０】
[0040]  実装形態は以下の特徴のうち１つ以上を含み得る。例えば、装置は、電気導体に熱的に結合された温度制御システムを含み得る。温度制御システムは、チャネル表面の温度を閾値未満に維持するように構成され得る。温度制御システムは、チャネル表面の温度を冷却するように構成されてもよく、それによってデブリがチャネル表面で溶融することを防止する。
【００４１】
[0041]  電気導体は非導電体に埋め込まれてもよい。電気導体は非導電体に接触してもよい。
【００４２】
[0042]  非導電体は誘電体で作製され得る。
【００４３】
[0043]  電気導体は非導電体の外部表面に回り込んでもよく、電気導体は誘電体材料で被覆されてもよい。
【図面の簡単な説明】
【００４４】
【図１Ａ】[0044]  極端紫外線（ＥＵＶ）光源のチャンバ内の構造物の曝露面からデブリを洗浄するように設計された洗浄装置のブロック図である。
【図１Ｂ】[0045]  図１Ａの洗浄装置のブロック図であり、洗浄装置は、曝露構造物表面に対して構成された非導電体に接触する電気導体を含む。
【図２Ａ】[0046]  図１Ａの洗浄装置の一実装形態のブロック図であり、非導電体は曝露面を有する構造物とは異なる。
【図２Ｂ】[0046]  図１Ａの洗浄装置の一実装形態のブロック図であり、非導電体は曝露面を有する構造物とは異なる。
【図２Ｃ】[0047]  図１Ａの洗浄装置の別の一実装形態のブロック図であり、非導電体は曝露面を有する構造物とは異なる。
【図３Ａ】[0048]  図１Ａの洗浄装置の一実装形態のブロック図であり、非導電体は曝露面を有する構造物である。
【図３Ｂ】[0048]  図１Ａの洗浄装置の一実装形態のブロック図であり、非導電体は曝露面を有する構造物である。
【図４Ａ】[0049]  洗浄装置の一実装形態を示す概略図であり、電気導体は、部分的に曝露されるとともに、非導電体の曝露面の複数の場所で非導電体に接触する。
【図４Ｂ】[0050]  洗浄装置の一実装形態を示す概略図であり、電気導体は複数の場所で非導電体に埋め込まれている。
【図４Ｃ】[0051]  洗浄装置の一実装形態を示す概略図であり、電気導体は、部分的に曝露されるとともに、非導電体の曝露面の連続的な空間領域の全体にわたって非導電体に接触する。
【図４Ｄ】[0052]  洗浄装置の一実装形態を示す概略図であり、電気導体は、非導電体に埋め込まれるとともに、連続的に非導電体に接触する。
【図５】[0053]  洗浄装置が実装されたＥＵＶ光源のブロック図である。
【図６Ａ】[0054]  図５の洗浄装置によって洗浄可能な例示的な光学コレクタの背面斜視図を示す。
【図６Ｂ】[0054]  図５の洗浄装置によって洗浄可能な例示的な光学コレクタの正面斜視図を示す。
【図６Ｃ】[0054]  図５の洗浄装置によって洗浄可能な例示的な光学コレクタの側断面図を示す。
【図６Ｄ】[0054]  図５の洗浄装置によって洗浄可能な例示的な光学コレクタの正面平面図を示す。
【図７Ａ】[0055]  洗浄装置がターゲットデリバリシステムと相互作用領域との間に設置されたシュラウドを洗浄するために実装されたＥＵＶ光源のブロック図である。
【図７Ｂ】[0056]  洗浄装置及び図７Ａで洗浄されるシュラウドの一実装形態のＸＹ平面に沿った平面図である。
【図７Ｃ】[0057]  図７Ｂの洗浄装置及び洗浄されるシュラウドの実装形態のＸＺ平面に沿った平面図である。
【図７Ｄ】[0058]  図７Ａ及び図７Ｂの洗浄装置及びシュラウドの実装形態の分解斜視図であり、シュラウド内における電気導体の設置を示す。
【図７Ｅ】[0059]  図７Ａ及び図７Ｂの洗浄装置及びシュラウドの実装形態の斜視図である。
【図８Ａ】[0060]  洗浄装置が光学コレクタと光学コレクタの中間焦点との間に設置されたライナ又は副容器として実装されているＥＵＶ光源のブロック図であって、電気導体はライナ本体に埋め込まれており、ライナ本体は円錐形状を有する。
【図８Ｂ】[0061]  ライナが円錐形状である、図８Ａの洗浄装置の斜視図である。
【図９Ａ】[0062]  洗浄装置が光学コレクタと光学コレクタの中間焦点との間に設置されたライナ又は副容器として実装されているＥＵＶ光源のブロック図であって、電気導体はライナ本体の外面に接触しており、ライナ本体は円錐形状を有する。
【図９Ｂ】[0063]  図９Ａの洗浄装置の斜視図である。
【図１０Ａ】[0064]  洗浄装置が光学コレクタを洗浄するために実装されたＥＵＶ光源のブロック図である。
【図１０Ｂ】[0065]  図１０Ａの洗浄装置の斜視図である。
【図１０Ｃ】[0066]  図１０Ｂの洗浄装置の一部の側断面図である。
【図１０Ｄ】[0067]  図１０Ｃの洗浄装置の一部の拡大側断面図である。
【図１１】[0068]  構造物の表面の洗浄のために実施される手順のフローチャートである。
【図１２】[0069]  非導電体に隣接する場所で電流を誘起する手順のフローチャートである。
【図１３Ａ】[0070]  図１２の手順のステップを示すシュラウドの斜視図である。
【図１３Ｂ】[0070]  図１２の手順のステップを示すシュラウドの斜視図である。
【図１３Ｃ】[0070]  図１２の手順のステップを示すシュラウドの斜視図である。
【図１４】[0071]  洗浄装置を使用可能なＥＵＶ光源のブロック図である。
【図１５】[0072]  ＥＵＶ光源及びそのＥＵＶ光源からＥＵＶ光を受けるリソグラフィ装置のブロック図である。
【図１６Ａ】[0073]  洗浄装置及び図７Ａで洗浄されるシュラウドの別の一実装形態のＸＹ平面に沿った平面図である。
【図１６Ｂ】[0074]  図１６Ａの洗浄装置及びシュラウドの斜視図である。
【図１７Ａ】[0075]  洗浄装置及び洗浄される管状シュラウドの一実装形態の斜視図である。
【図１７Ｂ】[0076]  洗浄装置及び洗浄されるハイブリッド（管状及びＵ字形）シュラウドの一実装形態の斜視図である。
【図１８Ａ】[0077]  単一の電流を図１Ａ及び図１Ｂの電気導体に供給する電源の一実施形態を示すブロック図である。
【図１８Ｂ】[0078]  第１の電流及び第２の電流を図１Ａ及び図１Ｂの電気導体に供給する電源の一実施形態を示すブロック図である。
【発明を実施するための形態】
【００４５】
[0079]  図１Ａ及び図１Ｂを参照すると、洗浄装置１００は、極端紫外線（ＥＵＶ）光源の容器１２５によって定義されるチャンバ１２０内の構造物１１５の曝露面１１０からデブリ１０５を洗浄するように設計されている。ＥＵＶ光源の例は図５，図７Ａ，図８Ａ，図９Ａ，及び図１０Ａに示されている。ＥＵＶ光源は、ターゲット１３５の流れ１３２をチャンバ１２０内の相互作用領域１４０の方に向けるように構成されたターゲットデリバリシステム１３０も含む。ターゲット１３５は、プラズマ１５０（発光プラズマ１５０とも称される）に変換されたときにＥＵＶ光１４５を放出する物質を含む。
【００４６】
[0080]  デブリ１０５は、少なくとも部分的には、チャンバ１２０内の余った又は残ったターゲット物質１５５から生成される。具体的には、余った又は残ったターゲット物質１５５は、相互作用領域１４０においてプラズマ１５０に変換されないターゲット物質であり得、及び／又は、余った又は残ったターゲット物質１５５は、ターゲット物質１５５に復帰するプラズマ１５０から生成され得る。ＥＵＶ光１４５を生成するプロセスは多くのターゲット１３５の物質をプラズマ１５０に変換することに依存し、したがってこのプロセスにおいては多量の残った又は余ったターゲット物質１５５が生成され得る。異なる位相のターゲット物質１５５は、チャンバ１２０内部の様々なオブジェクトの表面上に堆積する傾向がある。残った又は余ったターゲット物質１５５は、チャンバ１２０の中を移動して、チャンバ１２０内の壁、光学素子、及び構成要素など様々なオブジェクトを被覆し得る。これらのオブジェクトの表面上に形成されるデブリ１０５は、ターゲット物質１５５から形成される物質の蒸気残留物、イオン、パーティクル、及び／又はクラスタを含み得る。
【００４７】
[0081]  デブリ１０５は、ＥＵＶ光１４５を遮断することによって又はチャンバ１２０内のオブジェクトを汚染することによって、ＥＵＶ光源の性能をひどく損ない得る。デブリ１０５は表面１１０上に、表面１１０を有効に遮断する被覆を形成する。したがって、表面１１０がチャンバ１２０内で光と相互作用することを意図された光学面である場合、その効率は、デブリ１０５で被覆されるにつれて低下するであろう。別の一例として、表面１１０が（光と相互作用しない）非光学面である場合には、表面１１０を被覆するデブリ１０５は、チャンバ１２０内で他の深刻な問題を引き起こし得る。デブリ１０５は表面１１０及び構造物１１５を加熱させ、これは、デブリ１０５が表面１１０からチャンバ１２０内の他の素子上に吐出されることにつながり得る。デブリ１０５は、ＥＵＶ光１４５の生成の減少につながる他の問題を引き起こし得る。例えば、デブリ１０５は、表面１１０から剥がれ、落ち、吐き出され、又は滴り落ち得る。要約すれば、そのようなデブリ１０５の存在は、チャンバ１２０内の表面の性能を低下させ得るとともに、ＥＵＶ光源の全体的な効率及びＥＵＶ光１４５の生成を低減させ得る。後述するように、ターゲット１３５がスズの溶融金属を含む場合、スズ粒子、スズのクラスタ、スズ残留物、又はスズイオンが、チャンバ１２０内の１つ以上の構造物上に堆積（又は被覆）し得る。
【００４８】
[0082]  デブリ１０５は、チャンバ１２０内に存在するターゲット物質１５５以外の材料から生成され得る。例えば、デブリ１０５は炭素を含み得る。
【００４９】
[0083]  図１Ｂに図示されるように、洗浄装置１００は、チャンバ１２０内に、次に述べる通り曝露面１１０からのデブリ１０５の除去を可能にするように構造物１１５に十分に近接して、位置決めされる。洗浄装置１００は、非導電体１６５に接触する電気導体１６０を含む。電気導体１６０は、構造物１１５に隣接する場所（体積）１６１で電流を電磁的に誘起するように構成されており、それによって、チャンバ１２０内に存在する材料１７０を、物質の第１の状態（例えば蒸気又は液体）から物質のプラズマ状態へと変化させる。
【００５０】
[0084]  材料１７０は洗浄装置１００の動作とは無関係に既にチャンバ１２０内に存在しているので、材料１７０はチャンバ１２０内に存在し得る。典型的な実装形態においては、チャンバ１２０は当初は材料１７０を導入せずに製造される。その後、チャンバ１２０の動作前及び／又は動作中に、材料１７０が導入される。それで材料１７０は、チャンバ１２０の動作中にはチャンバ内に存在している。このように、材料１７０はチャンバ１２０の動作のために既にチャンバ１２０内に存在しているので、洗浄装置１００の動作の前に材料１７０がチャンバ１２０の外部からチャンバ１２０内に輸送される必要はない。材料１７０は、容器１２５の流体ポートを介してチャンバ１２０内へと輸送されてもよい。例えば、材料１７０は、流体流パターンを提供するため又はチャンバ１２０内の表面にバッファを提供するためなど、ＥＵＶ光源の動作にあたって他の目的のためにチャンバ１２０内に供給されてもよい。
【００５１】
[0085]  電気導体１６０は誘導結合プラズマ（ＩＣＰ）ツールとして作用し、これは、プラズマ発生器として、構造物１１５と接触するように設置された電気導体１６０を含む。ＩＣＰプロセスにおいては、時間変動電流が（電源から）電気導体１６０を通じて流され、その時間変動電流の流れが、この電気導体１６０に隣接して、時間変動磁界を生成する。生成された時間変動磁界は、構造物１１５に隣接する場所１６１で電界又は電流を誘起する。誘起された電流は、近傍の材料から場所１６１において物質のプラズマ状態を発生させるのに十分なほど大きい。
【００５２】
[0086]  材料１７０のプラズマ状態は材料１７０のプラズマ粒子１７５を含み、これらのプラズマ粒子１７５は非常に化学反応性である。例えば、プラズマ粒子１７５は、材料１７０のフリーラジカル及び／又はイオンを含み得る。電気導体１６０は、プラズマ粒子１７５が曝露面１１０上のデブリ１０５と接触するように位置決めされる。プラズマ粒子１７５はデブリ１０５の堆積したターゲット物質１５５と化学反応して新たな化学物質１８０を形成し、これが曝露面１１０から放出される。例えば、新たな化学物質１８０はガス状態であり得、したがって、形成と同時に曝露面１１０から放出されるようになる。すると、ガス状態であるこの新たな化学物質１８０は、除去装置１８５によってチャンバ１２０から排出され得る。
【００５３】
[0087]  洗浄装置１００は、たとえチャンバ１２０内に存在する分子状水素に曝露されても動作する（つまりデブリ１０５を曝露面１１０から除去する）ように構成され得る。また、洗浄装置１００は、酸素の使用又は存在なしに動作するように構成され得る。つまり、洗浄装置１００が動作し及び／又はその機能を発揮するためには、酸素は必要でなく又は要求されない。
【００５４】
[0088]  洗浄装置１００は、チャンバ１２０から構造物１１５を取り外すことを要さずに構造物１１５の曝露面１１０からデブリ１０５を除去するように設計される。チャンバ１２０内における、ＥＵＶ光１４５の生成に寄与する及び／又はチャンバ１２０の動作を維持する構造物１１５の動作は、そうした構造物１１５の曝露面１１０を洗浄するために停止される必要はない。よって、ＥＵＶ光源の動作は、洗浄装置１００が表面１１０を洗浄するために停止又はシャットダウンされる必要はない。洗浄装置１００は、チャンバ１２０内の表面１１０から、全てではないにしてもほとんどのデブリ１０５を除去することができる。洗浄装置１００は、曝露面１１０からの（吐き出し、剥がれ、又は滴り落ちなどによる）デブリ１０５の吐出を防止するように動作する。また、洗浄装置１００は液冷されてもよく、そのため、ターゲット物質１５５の悪影響を低減するためにチャンバ１２０内の構成要素の加熱を必要とする以前の設計よりも、熱的に信頼性が高く、複雑でなく、安価である。例えば、先の、デブリ１０５を除去するために構造物１１５を加熱する設計においては、デブリ１０５の吐き出しが発生する。これに対し、洗浄装置１００は構造物１１５を加熱せず、したがって吐き出しが軽減され又は完全に回避される。特に、チャンバ１２０の温度は全体的により低く、構造物１１５は加熱されず、構造物１１５の全体的な温度はデブリ１０５の融点よりも低い。更に、デブリ１０５中のターゲット物質１５５と相互作用しないプラズマ粒子１７５が改質して材料１７０になるであろうから、材料１７０の消費が抑えられ又は最小化される。
【００５５】
[0089]  いくつかの実装形態においては、チャンバ１２０は大気圧に維持される。他の実装形態においては、チャンバ１２０は、大気圧よりも低い圧力である真空に維持される。例えば、チャンバ１２０は、約０．５トル（Ｔ）から約１．５Ｔの低い圧力（例えば１Ｔ）であってもよい。
ＥＵＶ光１４５の最も効率的な生成には、ある特定の圧力が適当であろう。洗浄装置１００はチャンバ１２０の環境内で動作するように構成されており、したがって、チャンバ１２０が１Ｔに維持されるのであれば、洗浄装置１００はその圧力で動作することができる。
【００５６】
[0090]  ターゲットデリバリシステム１３０の様々な部品は、容器１２５の外部、（図１Ａに図示されるように）容器１２５の壁内、又はチャンバ１２０の内部に位置決めされ得る。ターゲットデリバリシステム１３０は、流れ１３２中のターゲット１３５を送出し、制御し、相互作用領域１４０の方に導く。ターゲット１３５は、例えば、液体又は溶融金属の小滴、液体流の一部、固体の粒子はクラスタ、液体小滴に含有される固体粒子、ターゲット材料の一形態、又は液体流の一部に含有される固体粒子であり得る。ターゲット１３５は、プラズマ状態のときにＥＵＶ光１４５を放出する任意の材料であり得る。つまり、ターゲット１３５は、プラズマ状態のときＥＵＶ領域に輝線を有する物質である。例えば、ターゲット１３５は、水、スズ、リチウム、及び／又はキセノンを含み得る。ターゲット１３５は、ターゲット物質１５５と（ＥＵＶ光１４５の生成に寄与しない）非ターゲット粒子のような不純物とを含むターゲット混合物であってもよい。一例として、ターゲット１３５は、純スズ（Ｓｎ）として、ＳｎＢｒ４、ＳｎＢｒ２、ＳｎＨ４などのスズ化合物として、例えばスズ−ガリウム合金、スズ−インジウム合金、もしくはスズ−インジウム−ガリウム合金などのスズ合金として、又はこれらの合金の任意の組み合わせとして用いられ得る元素スズであってもよい。不純物がない状況では、ターゲット１３５はターゲット物質１５５のみを含む。
【００５７】
[0091]  （洗浄装置１００によって生成されるプラズマ粒子１７５の少なくとも１つのタイプであり得る）フリーラジカルは、不対価電子又は開電子殻を有する原子、分子、又はイオンであり、したがってダングリング共有結合を有するものと見なされてもよい。ダングリング共有結合はフリーラジカルを高化学反応性なものにする。つまり、フリーラジカルは他の物質と容易に反応し得る。フリーラジカルは、その反応性の性質により、曝露面１１０などのオブジェクトから（デブリ１０５などの）物質を除去するために用いられる。フリーラジカルはデブリ１０５を、例えば、デブリ１０５を形成するターゲット物質１５５をエッチングすること、これと反応すること、及び／又はこれを燃焼することによって除去する。
【００５８】
[0092]  （フリーラジカルを含む）プラズマ粒子１７５は、任意の適当な手法で材料１７０から作り出され得る。例えば、プラズマ粒子１７５は、非導電体１６５の付近にある材料１７０のより大きな分子を壊すことによって形成され得る。より大きな分子は、電気導体１６０の動作によって引き起こされる電離放射線、熱、及び放電など、これらの大きな分子に十分なエネルギを注入するプロセスによって壊される。具体的には、プラズマ粒子１７５の形成は、十分なエネルギを材料１７０のより大きな分子に提供して、そのより大きな分子の原子間の結合（一般的には共有結合）を壊すことを伴う。
【００５９】
[0093]  いくつかの実装形態においては、上述したように、ターゲット１３５はスズ（Ｓｎ）を含む。そして、これらの実装形態においては、デブリ１０５を形成するターゲット物質１５５はスズ粒子（例えばスズ又は酸化スズ）を含む。チャンバ１２０内に存在し許容される材料１７０の１つが分子状水素（Ｈ２）である。この場合、プラズマ粒子１７５は分子状水素から生成される。プラズマ粒子１７５は、水素のフリーラジカル及びイオンを含み得る。水素の単純なフリーラジカルの一例は、不対価電子を持つ単体の水素元素（Ｈ＊）である。洗浄装置１００の動作による蒸散の化学的プロセスは、次の化学式によって表される。
【数１】
2021513097.tif 000003
ここでｇは化学物質がガス状態であることを示す。
【００６０】
[0094]  発生された水素のフリーラジカルＨ＊は、デブリ１０５中のスズ粒子と結合して新たな化学物質１８０を形成する。この化学物質は水素化スズ（ＳｎＨ４）と称され、曝露面１１０から放出される。この化学的プロセスは、次の化学式によって表される。
【数２】
2021513097.tif 000004
ここでｓは化学物質が固体状態であることを示す。
【００６１】
[0095]  このようにして、デブリ１０５から形成された被覆は、少なくとも毎分１０ナノメートル且つ最大で２００ｎｍ／分の速度で、洗浄装置１００のすぐ近くの領域のみならず曝露面１１０の全体にわたって、曝露面１１０からエッチング除去又は除去される。これは、プラズマ粒子１７５が曝露面１１０に可能な限り近接して、又は、プラズマ粒子１７５が再結合又は復帰して材料１７０になる前にチャンバ１２０内の流体流がプラズマ粒子１７５を曝露面１１０上で素早く移動させるのに十分なほど近接して、作り出されるからである。水素ラジカルＨ＊（及び他のフリーラジカル）は短命であり、再結合して分子状水素を再形成する傾向があるので、これは重要である。洗浄装置１００は、プラズマ粒子１７５が互いに再結合して材料１７０を再形成できる機会を持つよりも前にこれらのプラズマ粒子１７５がデブリ１０５のターゲット物質１５５と反応する機会を持つことができるように設計されており、これによって、構造物１１５をチャンバ１２０から取り外すことを要さずに曝露面１１０を洗浄することが可能になる。
【００６２】
[0096]  Ｈ＊は、洗浄装置１００によって分子状水素Ｈ２から生成される唯一のフリーラジカル又はイオンではない。洗浄装置１００の動作によって分子状水素Ｈ２から形成され得る多くの他のフリーラジカル及びイオンが存在する。こうした他のフリーラジカル及びイオンもプラズマ粒子１７５である。例えば、重陽子Ｈ２＋及び三重陽子Ｈ３＋もスズと反応してガス状の水素化スズを形成し得るが、これらは支配的ではない。
【００６３】
[0097]  電気導体１６０は、銅や銅合金など、任意の適当な導電材料で作製され得る。電気導体１６０は非導電体１６５に接近して（及び接触して）設置され、したがって、電気導体１６０は、チャンバ１２０の他の構成要素又は素子を妨害しないように、適切に寸法決めされなければならない。電気導体１６０は、非導電体１６５の様々な部分に接触するように設置された複数の導体を含み得る。電気導体１６０は、非導電体１６５の複数の領域に接触するように、巻回され又は渦巻状にされてもよい。電気導体１６０は、非導電体１６５の大きな領域に連続的に接触するように延伸していてもよい。これらの異なる設計については後述する。
【００６４】
[0098]  いくつかの実装形態においては、電気導体１６０は、電気導体１６０と非導電体１６５との間に熱結合が存在する程度に非導電体１６５に接近している。非導電体１６５は、非導電体１６５と電気導体１６０との間での効率的な熱の伝達を可能にする十分に高い熱伝導率を有し得る。これは、非導電体１６５の温度が電気導体１６０の温度に相関している（及び影響される）ことを意味する。非導電体１６５の熱伝導率の値は、非導電体１６５に印加される熱負荷によって決まる。したがって、熱負荷が低ければ、熱伝導率は、非導電体１６５に対する熱負荷が高い状況と比較して低くなるであろう。例えば、非導電体１６５の熱伝導率は、約７０ワット／メートルケルビン（Ｗ／ｍ・Ｋ）であってもよい。
【００６５】
[0099]  これらの実装形態においては、洗浄装置は、電気導体１６０に熱的に結合された温度制御システム１９０も含む。そして、非導電体１６５が電気導体１６０に熱的に結合されているので、電気導体１６０の温度を制御することによって、非導電体１６５の温度も制御することが可能である。更なる実装形態においては、構造物１１５も電気導体１６０及び非導電体１６５のうち１つ以上に熱的に結合されることが可能である（又は、図２Ａ及び図２Ｂを参照して述べるように、構造物１１５と非導電体１６５とは同一の構成要素である）。
【００６６】
[0100]  温度制御システム１９０は、非導電体１６５及び構造物１１５の温度を、構造物１１５が電気導体１６０に熱的に結合されている場合に、最大閾値未満又はある閾値範囲内に維持するように構成されていてもよい。したがって、温度制御システム１９０は、非導電体１６５又は非導電体１６５と構造物１１５との両方を冷却するために用いられ得る。例えば、温度制御システム１９０は、非導電体１６５又は非導電体１６５と構造物１１５との両方を、ターゲット物質１５５の融点よりも低い温度まで冷却するように構成されていてもよい。よって、ターゲット物質１５５がスズを含む場合には、温度制御システム１９０は、非導電体１６５又は非導電体１６５と構造物１１５との両方を、５０度未満まで冷却するように構成される。
【００６７】
[0101]  要求はされないが、電気導体１６０は縦方向に沿って延びるチューブとして設計することが可能であり、そのようなチューブは、図１Ｂに示されるように、中空の縦方向開口１９５を含む。中空開口１９５は、以下のように、導管又は内部通路として用いられ得る。この実装形態においては、温度制御システム１９０は、この内部通路１９５を通じて冷却流体（水など）を送り込み又は供給し、それによって電気導体１６０の温度を制御する、流体制御システムを含む。この例では、非導電体１６５の冷却は開口１９５を通じて流れる冷却流体の冷凍温度によって制限され、冷却流体が水である場合には、その水の温度は、開口１９５内の圧力で水の冷凍温度よりも高く維持されなければならない。
【００６８】
[0102]  非導電体１６５は導電性ではない。したがって、非導電体１６５は誘電体で作製される。例えば、適当な誘電体は、窒化アルミニウム、窒化ホウ素、炭化シリコン、酸化アルミニウム、炭化ホウ素、及び他の複合セラミックスなどのセラミックである。他の実装形態においては、誘電体は、ガラス、磁器、雲母、ポリエチレン、石英、又はサファイアであってもよい。
【００６９】
[0103]  再び図１Ａを参照すると、洗浄装置１００は、電気導体１６０に電流を供給するように構成された電源１９１に連結され得る。電気導体１６０に供給される電流は、無線周波数（ＲＦ）の範囲にあってもよい。無線周波数とは、約２０キロヘルツ（ｋＨｚ）から３００ギガヘルツ（ＧＨｚ）に及ぶ範囲内にある電磁波周波数である。
【００７０】
[0104]  一実装形態においては、電気導体１６０に供給される電力は、数キロワット又は数十キロワット（ｋＷ）程度であり得る。電気導体１６０は、銅で作製された、１／２インチよりも小さい直径を有する神聖なチューブであり、毎分１ガロンの冷却水がその内部通路１９５を通じて流れる。ＲＦ周波数は約１４ｍＨｚであってもよく、電気導体１６０に供給される電力は、約１〜３ｋＷであってもよい。チャンバ１２０は約１４０パスカル（Ｐａ）に保持されてもよく、これは約１．０５Ｔである。表面１１０からのデブリ１０５の除去の速度は、表面１１０全体にわたって少なくとも２００ナノメートル（ｎｍ）／分であってもよい。
【００７１】
[0105]  他の実装形態においては、電気導体１６０はマイクロ波プラズマ発生器の一部として実装され得る。例えば、電気導体１６０に供給される電流は、マイクロ波放射を生成する範囲にある。マイクロ波放射とは、約１ＧＨｚから約３００ＧＨｚに及ぶ範囲にある周波数を有する電磁波である。そのような実装形態においては、場所１６１で誘起される電流は構造物１１５の表面に沿ったものになり得るとともに、表面波と考えられ得る。
【００７２】
[0106]  また、制御装置１９２が洗浄装置１００及び電源１９１と通信し、それによって電気導体１６０の動作を制御してもよい。制御装置１９２は、温度制御システム１９０とも通信して、その動作を制御することができる。
【００７３】
[0107]  例えば、制御装置１９２は、電気導体１６０に電流を提供するように電源１９１に信号を送信すると同時に、非導電体１６５又は構造物１１５の温度制御を動作させるように温度制御システム１９０に信号を送信することができる。制御装置１９２は１つ以上のモジュールを含み得る。制御装置１９２の様々なモジュールは、モジュール間のデータがモジュールからモジュールへ伝達されないという点で、自立モジュールであり得る。あるいは、制御装置１９２内のモジュールのうち１つ以上は互いに通信してもよい。制御装置１９２内のモジュールは、同一位置にあってもよいし又は物理的に互いに分離していてもよい。
【００７４】
[0108]  制御装置１９２はメモリを含んでいてもよく、このメモリは読み出し専用メモリ及び／又はランダムアクセスメモリであってもよい。コンピュータプログラム命令及びデータを有形に体現するのに適した記憶デバイスは、例えば、ＥＰＲＯＭ、ＥＥＰＲＯＭ、及びフラッシュメモリデバイスなどの半導体メモリデバイス、内部ハードディスク及びリムーバブルディスクなどの磁気ディスク、光磁気ディスク、並びにＣＤ−ＲＯＭディスクを含む、あらゆる形の不揮発性メモリを含む。制御装置１９２は、１つ以上の入力デバイス（キーボード、タッチスクリーン、マイクロフォン、マウス、ハンドヘルド入力デバイスなど）及び１つ以上の出力デバイス（スピーカ又はモニタなど）も含み得る。
【００７５】
[0109]  制御装置１９２は、１つ以上のプログラム可能プロセッサ、及びプログラム可能プロセッサによる実行のために機械読み取り可能な記憶デバイスにおいて有形に体現された１つ以上のコンピュータプログラム製品を含む。１つ以上のプログラム可能プロセッサは、各々が命令のプログラムを実行して、入力データ上で動作すること及び適切な出力を生成することによって所望の機能を実施し得る。一般に、プロセッサはメモリから命令及びデータを受信する。前述のもののいずれかは、特別設計のＡＳＩＣ（特定用途向け集積回路）によって補われるか、又はこれに組み込まれてもよい。
【００７６】
[0110]  制御装置１９２内のモジュールの各々は、１つ以上のプロセッサによって実行される一組のコンピュータプログラム製品であってもよい。更に、モジュールのいずれかがメモリに格納されたデータにアクセスしてもよい。制御装置１９２内のコントローラ／フィーチャ／モジュール間の接続、及び制御装置１９２内のコントローラ／フィーチャ／モジュールと洗浄装置１００の構成要素との間の接続は、有線であっても無線であってもよい。
【００７７】
[0111]  図２Ａを参照すると、いくつかの実装形態においては、非導電体１６５は、曝露面２１０を有する構造物２１５とは異なる非導電体２６５である。これらの実装形態では、構造物２１５及び非導電体２６５は、互いに接近するように又は互いに隣接するように構成され得る。あるいは、構造物２１５及び非導電体２６５は、より大きなオブジェクトの２つの部分であってもよい（例えば、構造物２１５は曝露面２１０を含む領域であり、その一方で非導電体２６５はその領域からは離れている）。電気導体２６０は非導電体２６５と接触している。
【００７８】
[0112]  図２Ｂに示されるように、これらの実装形態においては、プラズマ粒子１７５は、非導電体２６５Ｂに隣接する場所２６１Ｂで電気導体２６０Ｂが電流を電磁的に誘起するときに、非導電体２６５Ａの付近で作り出される。これらの実装形態においては、非導電体２６５Ｂは、構造物２１５Ｂに対して、プラズマ粒子１７５が曝露面２１０Ｂ上のデブリ１０５と接触することを可能にするように構成される。例えば、図２Ｂに示されるように、非導電体２６５Ｂは、場所２６１Ｂで作り出されたプラズマ粒子１７５が非導電体２６５Ｂから曝露面２１０Ｂに向かって掃引されるか又は押されるように物理的に位置決めされ得る。この例においては、チャンバ１２０内に、敏速に且つプラズマ粒子１７５が再結合及び復帰してターゲット物質１５５になる機会を持つ前にプラズマ粒子１７５を曝露面２１０Ｂに向かって掃引する又は押すのに必要な力を提供する流体流パターン２６６が存在している。流体流パターン２６６は、動作中に曝露面２１０Ｂを保護するように曝露面２１０Ｂを横切る材料１７０の流体流であってもよい。流体流パターン２６６は、プラズマ粒子１７５をデブリで汚染された１つ又は複数の表面１１０へ運ぶのに必要な流れである。また、流体流パターン２６６は、新たな材料１８０（水素化スズなど）を表面１１０から除去装置１８５へ運ぶのに必要な流れも提供することができる。図１０Ｃ及び図１０Ｄには別のタイプの流体流パターン２６６が示されている。流体流パターン２６６は周辺流パターン１０６６であり、これは光学コレクタ１０４２の反射面１０４３を保護するように構成された既存の流れパターンである。
【００７９】
[0113]  図２Ｃに示されるような、曝露面２１０Ｃが非導電体２６５Ｃに接近しており且つプラズマ粒子１７５が生成される場所２６１Ｃにも接近しているものなど、他の実装形態においては、プラズマ粒子１７５が曝露面２１０Ｃに到達することを確実にするために流体流パターン２６６は必要ないかもしれない。具体的には、曝露面２１０Ｃは非導電体２６５Ｃに非常に接近しているので、プラズマ粒子１７５が生成される場所２６１Ｃは曝露面２１０Ｃと一致する。
【００８０】
[0114]  図３Ａを参照すると、他の実装形態においては、非導電体１６５は構造物１１０である。したがって、構造物１１０と非導電体１６５とは１つの同一の構造物３１２である。これらの実装形態においては、電気導体１６０は構造物３１２と直接的に連結される。つまり、電気導体１６０は、構造物３１２の少なくとも何らかの部分又は領域と接触する。また、構造物３１２は非導電体１６５の特性の全てを有しており、これは、構造物３１２が導電性ではなく、セラミックなどの誘電体で作製され得ることを意味する。例えば、図３Ｂに示されるように、電気導体３６０Ｂは構造物３１２Ｂに隣接して設置され（又は図３Ｂに示されるように埋め込まれ）、それによって電気導体３６０Ｂは、存在する材料１７０をプラズマ粒子１７５に変化させるべく、構造物３１２Ｂに隣接する場所３６１Ｂで電流を電磁的に誘起するように構成される。プラズマ粒子１７５は構造物３１２Ｂにおいて作り出されるので、流体流パターン２６６がプラズマ粒子１７５を輸送する必要はない。
【００８１】
[0115]  上述したように、電気導体１６０は非導電体１６５と接触する。図４Ａから図４Ｄを参照すると、電気導体１６０は、非導電体１６５のジオメトリに応じて、及び非導電体１６５の２つの表面間の相対的な圧力にも応じて、別様に非導電体１６５に接触し得る。電気導体１６０を通じて流れる電流によって場所１６１で電流が誘起されるためには、非導電体１６５は誘電体で作製される必要がある。また、以下の例は非導電体１６５について述べているが、これらの例の各々において、非導電体１６５は構造物１１０でもあり得ることに留意すべきである。次に、これらの例の各々について述べる。
【００８２】
[0116]  図４Ａに示されるように、電気導体４６０Ａは、第１の圧力Ｐ１＿Ａに保持された第１の表面４６２１＿Ａ上の複数の場所で非導電体４６５Ａに接触する。（電流が誘起される場所４６１Ａに隣接する）第２の表面４６２２＿Ａは、第２の圧力Ｐ２＿Ａに保持される。この例においては、第２の圧力Ｐ２＿Ａは第１の圧力Ｐ１＿Ａとは異なる。例えば、第２の圧力Ｐ２＿Ａは真空圧であってもよく、その一方で第１の圧力Ｐ１＿Ａは大気圧であってもよい。ここでは、電気導体４６０Ａの少なくとも一部が第１の圧力Ｐ１＿Ａに曝露される。電気導体４６０Ａは（費用及び設計工程を減らすために）大気圧に曝露するのが安全である。なぜなら、この圧力では、洗浄装置１００によって生成されるプラズマ粒子１７５は着火せず、電気導体４６０Ａを損傷する可能性がほとんどないからである。
【００８３】
[0117]  図４Ｂに示されるように、電気導体４６０Ｂは、複数の場所で非導電体４６５Ｂに接触する。また、第１の表面４６２１＿Ｂは第１の圧力Ｐ１＿Ｂに保持される。（電流が誘起される場所４６１Ｂに隣接する）第２の表面４６２２＿Ｂは、第２の圧力Ｐ２＿Ｂに保持される。この例においては、第２の圧力Ｐ２＿Ｂは第１の圧力Ｐ１＿Ｂと同一である。例えば、第２の圧力Ｐ２＿Ｂ及び第１の圧力Ｐ２＿Ｂはいずれも真空圧であってもよい。ここでは、導体４６０Ｂが第１の圧力Ｐ１＿Ｂに曝露されないように、電気導体４６０Ｂ全体が非導電体４６５Ｂ内に埋め込まれている。この例においては、圧力Ｐ１＿Ｂが真空圧であるため、プラズマ粒子１７５が着火して、曝露される電気導体４６０Ｂに損傷を引き起こす可能性がある。したがって、ここでは、電気導体４６０Ｂは、誘電体などの非導電材料である非導電体４６５Ｂに埋め込まれることによって、プラズマアタックから遮蔽される。
【００８４】
[0118]  図４Ｃに示されるように、電気導体４６０Ｃは、第１の圧力Ｐ１＿Ｃに保持された第１の表面４６２１＿Ｃの連続的な空間領域の全体にわたって非導電体４６５Ｃに接触する。（電流が誘起される場所４６１Ｃに隣接する）第２の表面４６２２＿Ｃは、第２の圧力Ｐ２＿Ｃに保持される。この例においては、第２の圧力Ｐ２＿Ｃは第１の圧力Ｐ１＿Ｃとは異なる。例えば、第２の圧力Ｐ２＿Ｃは真空圧であってもよく、その一方で第１の圧力Ｐ１＿Ｃは大気圧であってもよい。ここでは、電気導体４６０Ｃは第１の圧力Ｐ１＿Ｃに曝露される。
【００８５】
[0119]  図４Ｄに示されるように、電気導体４６０Ｄは連続的に非導電体４６５Ｃに接触する。また、第１の表面４６２１＿Ｄは第１の圧力Ｐ１＿Ｄに保持される。（電流が誘起される場所４６１Ｄに隣接する）第２の表面４６２２＿Ｄは、第２の圧力Ｐ２＿Ｄに保持される。この例においては、第２の圧力Ｐ２＿Ｄは第１の圧力Ｐ１＿Ｄと同一である。例えば、第２の圧力Ｐ２＿Ｄ及び第１の圧力Ｐ２＿Ｄはいずれも真空圧であってもよい。ここでは、導体４６０Ｄが第１の圧力Ｐ１＿Ｄに曝露されないように、電気導体４６０Ｄ全体が非導電体４６５Ｄ内に埋め込まれている。
【００８６】
[0120]  図５を参照すると、ＥＵＶ光源５０２の一実施形態における洗浄装置５００が示されている。この実装形態においては、洗浄装置５００は構造物５１５に隣接して示されており、それによって構造物の曝露面を洗浄する。次に、ＥＵＶ光源５０２の他の構成要素について述べる。ＥＵＶ光源５０２は、ターゲット５３５の流れ５３２をチャンバ５２０内の相互作用領域５４０の方に向けるターゲットデリバリシステム５３０を含む。相互作用領域５４０は、一連の増幅光パルスであり得る増幅光ビーム５４１を受ける。上述したように、ターゲット５３５は、発光プラズマ５５０に変換されたときにＥＵＶ光５４５を放出する物質を含む。相互作用領域５４０でのターゲット５３５中の物質と増幅光ビーム５４１との間の相互作用は、ターゲット５３５中の物質の少なくともいくらかを発光プラズマ５５０に変換し、その発光プラズマ５５０がＥＵＶ光５４５を放出する。発光プラズマ５５０は、ＥＵＶ波長領域に輝線を有する元素を有する。発光プラズマ５５０は、ターゲット５３５の組成物に応じて決まる、ある特徴を有する。これらの特徴は、発光プラズマ５５０によって生成されるＥＵＶ光５４５の波長を含む。
【００８７】
[0121]  発光プラズマ５５０は、数十電子ボルト（ｅＶ）の電子音度を有する高度にイオン化されたプラズマであると考えられ得る。明確にするならば、ターゲット１３５，５３５から生成される発光プラズマ１５０，５５０は、以下のように、材料１７０のプラズマ状態におけるプラズマ粒子１７５とは異なる。発光プラズマ１５０，５５０は、ターゲット１３５，５３５と増幅光ビーム５４１との間の相互作用によって生成される。そして、ターゲット１３５，５３５の発光プラズマ１５０，５５０は、ＥＵＶ光１４５，５４５を生成するものである。これに対し、プラズマ粒子１７５は、チャンバ１２０，５２０の内部に見られる材料１７０から作り出される。材料１７０もプラズマ粒子１７５も、ＥＵＶ光１４５，５４５の生成には寄与しない。また、プラズマ粒子１７５は、材料１７０の増幅光ビーム５４１との相互作用からは生成されない。
【００８８】
[0122]  より高エネルギのＥＵＶ光５４５を、例えばテルビウム（Ｔｂ）及びガドリニウム（Ｇｄ）など、スズ以外の燃料物質（ターゲット５３５）で発生させることができる。イオンの脱励起及び再結合の際に発生されるエネルギ放射（ＥＵＶ光５４５）は発光プラズマ５５０から放出され、このＥＵＶ光５４５の少なくとも一部は光学素子５４２によって収集される。光学素子５４２は、表面５４３が放出されたＥＵＶ光５４５の少なくとも一部と相互作用する光学コレクタであってもよい。光学素子５４２の表面５４３は、出射ＥＵＶ光５４５の一部を受けるように及びこの収集されたＥＵＶ光５４４をＥＵＶ光源５０２の外部での使用のために誘導するように位置決めされた反射面であってもよい。反射面５４３は収集されたＥＵＶ光５４４を二次焦点面に誘導する。すると、ＥＵＶ光５４４はそこで捕捉され、ＥＵＶ光源５０２の外部の（リソグラフィ装置などの）ツール５４６によって使用される。例示的なリソグラフィ装置については、図１４及び図１５を参照して述べる。
【００８９】
[0123]  反射面５４３は、ＥＵＶ波長範囲の光を反射するように構成されており、ＥＵＶ波長範囲外の光を吸収、拡散、又は遮断することができる。光学コレクタ５４２は、増幅光ビーム５４１が光学コレクタ５４２を通過して相互作用領域５４０の方に向かうことを可能にするアパーチャ５４７も含む。
【００９０】
[0124]  図６Ａから図６Ｄに示されるように、光学コレクタ５４２は、例えば、相互作用領域５４０に主焦点を有し二次焦点面に二次又は中間焦点を有する楕円面鏡であってもよい。これは、（平面断面Ｃ−Ｃなどの）平面断面が楕円形又は円形の形状であることを意味する。したがって、平面断面Ｃ−Ｃは、反射面５４３を切断し、楕円形の一部から形成される。光学コレクタ５４２の平面図（図６Ｄ）は、反射面５４３の縁部が円形を形成することを示す。
【００９１】
[0125]  再び図５を参照すると、ＥＵＶ光源５０２は光学系５５１を含み、この光学系は、光学系５５１の１つ又は複数の利得媒質における反転分布によって増幅光ビーム５４１を生成する。光学系５５１は、光ビームを生成する少なくとも１つの光源と、光ビームを操縦及び修正するとともに光ビームを相互作用領域５４０に合焦させるビームデリバリシステムとを含み得る。光学系５５１内の光源は、増幅光ビーム５４１を形成する１つ以上のメインパルスを提供するために、１つ以上の光アンプ、レーザ、及び／又はランプを含む。そして、場合によっては、光学系５５１は、増幅光ビーム５４１とターゲット５３５との相互作用の前にターゲット５３５と相互作用する前駆アンプ光ビーム（precursor amplifier light beam）（図示しない）を形成する１つ以上のプリパルスも提供し得る。各光アンプは、所望の波長を高利得で光増幅することのできる利得媒質と、励起源と、内部光学部品とを含む。光アンプは、レーザ空洞を形成するレーザミラー又は他のフィードバックデバイスを有していてもよいし、又は有していなくてもよい。したがって、光学系５５１は、レーザ空洞がない場合あっても、アンプの利得媒質における反転分布によって増幅光ビーム５４１を生成する。また、光学系５５１は、光学系５５１に十分なフィードバックを提供するためのレーザ空洞がある場合には、コヒーレントなレーザビームである増幅光ビーム５４１を生成し得る。よって、「増幅光ビーム」という用語は、単に増幅されただけで必ずしもコヒーレントなレーザ発振ではない光学系５５１からの光と、増幅され且つコヒーレントなレーザ発振である光学系５５１からの光とのうち、１つ以上を含む。
【００９２】
[0126]  光学系５５１で用いられる光アンプは、利得媒質として二酸化炭素（ＣＯ２）を含むガスを含んでいてもよく、約９１００から約１１０００ナノメートル（ｎｍ）、例えば約１０６００ｎｍの波長の光を、１００以上の利得で増幅し得る。光学系５５１での使用に適したアンプ及びレーザは、例えばＤＣ励起又はＲＦ励起によって約９３００ｎｍ又は約１０６００ｎｍの放射を生成し、例えば１０ｋＷ以上の比較的高いパワー及び例えば４０ｋＨｚ以上の高いパルス繰り返し率で動作する、例えばパルスガス放電ＣＯ２レーザデバイスのような、パルスレーザデバイスを含む。
【００９３】
[0127]  ＥＵＶ光源５０２は、ＥＵＶ光源５０２の１つ以上の制御可能な構成要素又はシステムと通信する制御装置５５２も含む。制御装置５５２は、光学系５５１及びターゲットデリバリシステム５３０と通信する。また、制御装置５５２は、洗浄装置５００にパワーを供給する電源１９１を動作させる制御装置１９２を含むか又はこれと通信してもよい。ターゲットデリバリシステム５３０は、制御装置５５２内の１つ以上のモジュールからの信号に応答して動作可能であってもよい。例えば、制御装置５５２は、ターゲットデリバリシステム５３０に信号を送信して、相互作用領域５４０に到着するターゲット５３５の誤差を補正するようにターゲット５３５の放出ポイントを修正し得る。光学系５５１は、制御装置５５２内の１つ以上のモジュールからの信号に応答して動作可能であってもよい。制御装置５５２の様々なモジュールは、モジュール間のデータがモジュールからモジュールへ伝達されないという点で、自立モジュールであり得る。あるいは、制御装置５５２内のモジュールのうち１つ以上は互いに通信してもよい。
【００９４】
[0128]  制御装置５５２内のモジュールのうち１つ以上は、互いに同一位置にあってもよい。あるいは、制御装置５５２内のモジュールのうち１つ以上は、物理的に互いに分離していてもよい。例えば、ターゲットデリバリシステム５３０を制御するモジュールはターゲットデリバリシステム５３０と同一位置にあってもよく、その一方で光学系５５１を制御するモジュールは光学系５５１と同一位置にあってもよい。
【００９５】
[0129]  ＥＵＶシステム５０２は、ＥＵＶチャンバ５２０から放出される化学物質５８０並びにＥＵＶチャンバ５２０内で形成され得る他のガス状の副産物を除去するように構成された除去又は排気装置５８５も含む。上述したように、放出される化学物質５８０は、（材料５７０から生成された）プラズマ粒子５７５の、構造物５１５の曝露面上に堆積したターゲット物質５５５との相互作用から形成される。除去装置５８５は、ＥＵＶチャンバ５２０から放出される化学物質５８０を除去するポンプであってもよい。除去装置５８５はＥＵＶチャンバ５２０と流体連通するガスポートを含んでいてもよく、したがって、放出される新たな化学物質５８０は、構造物５１５の付近の領域からガスポートの方へ及びこれを通って輸送され、ＥＵＶチャンバ５２０の外に出る。例えば、新たな化学物質５８０は、形成されると構造物５１５の曝露面から放出される。この新たな化学物質５８０は揮発性であるため、除去装置５８５に吸引され、除去装置が新たな化学物質５８０をＥＵＶチャンバ５２０から除去する。
【００９６】
[0130]  図示されていないＥＵＶ光源５０２の他の構成要素は、例えば、生成されるＥＵＶ光５４５に関連するパラメータを測定するためのディテクタを含む。ディテクタは、増幅光ビーム５４１のエネルギ又はエネルギ分布を測定するために用いられ得る。ディテクタは、ＥＵＶ光５４５の強度の角度分布を測定するために用いられ得る。ディテクタは、増幅光ビーム５４１のパルスのタイミング又は焦点の誤差を測定し得る。これらのディテクタからの出力は、その出力を解析して光学系５５１及びターゲットデリバリシステム５３０などＥＵＶ光源５０２の他の構成要素の態様を調節するモジュールを含む制御装置５５２に提供される。
【００９７】
[0131]  要約すると、増幅光ビーム５４１は光学系５５１によって生成され、ビーム経路に沿って誘導され、相互作用領域５４０でターゲット５３５を照射して、ターゲット５３５中の材料をＥＵＶ波長範囲の光を放出するプラズマ５５０に変換する。増幅光ビーム５４１は、光学系５５１の設計及び特性並びにターゲット５３５の特性に基づいて決定される特定の波長（光源波長）で動作する。
【００９８】
[0132]  図５のＥＵＶチャンバ５２０内には１つの洗浄装置５００しか明示されていないが、ＥＵＶチャンバ５２０の全体にわたって複数の洗浄装置５００を構成することが可能である。洗浄装置５００の他の可能な及び例示的な（しかし限定的ではない）場所は、図５に示すバツ印５１１でマークされている。例えば、洗浄装置５００は、ターゲット物質５５５と相互作用する可能性があり且つひいてはＥＵＶ光源５０２の動作中にデブリによって被覆される可能性のある表面を含む任意の素子の隣に位置決めされ得る。したがって、１つ以上の洗浄装置５００が、光学コレクタ５４２の隣、ＥＵＶチャンバ５２０内のいずれかの壁の隣、もしくはターゲットデリバリシステム５３０の隣に、又はターゲットデリバリシステム５３０と相互作用領域５４０との間の経路に沿って、位置決めされ得る。１つ以上の洗浄装置５００が、除去装置５８５のポートの表面を洗浄するべく、除去装置５８５の付近に位置決めされてもよい。よって、様々な実装形態において、除去装置５８５の１つ以上の表面に隣接する場所で電流を誘起するために、追加的な電気導体１６０が配備されてもよい。
【００９９】
[0133]  次に、洗浄装置５００の様々な実装形態及び使用について述べる。
【０１００】
[0134]  図７Ａから図７Ｅを参照すると、洗浄装置５００＿７（図７Ａでは視認できないが図７Ｂから図７Ｅには示されている）は、曝露面を備える構造物が非導電体と同一であるから、図３Ａ及び図３Ｂに示される洗浄装置１００と同様に構成されている。洗浄装置５００＿７は、ターゲットデリバリシステム５３０と相互作用領域５４０との間に設置されたシュラウド５１２＿７を含む。シュラウド５１２＿７は（概して内部空洞を欠く）中実の剛体と考えられてもよく、ターゲットデリバリシステム５３０から相互作用領域５４０に向かって移動する際のターゲット５３５の半分保護された又は完全に保護された通路７０１を提供する。シュラウド５１２＿７は、ターゲット５３５が経路を相互作用領域５４０へと移動する際のターゲットに対するチャンバ５２０内の乱流の影響を低減するように構成されている。シュラウド５１２＿７は光学コレクタ５４２にわたって延在するように位置決めされており、相互作用領域５４０に近接しているので、シュラウド５１２＿７は相互作用領域５４０で生成されるターゲット物質５５５に暴露されやすく、したがって、ターゲット物質５５５からのデブリ５０５＿７がシュラウド５１２＿７の表面上に形成される。そのため、洗浄装置５００＿７は、シュラウド５１２＿７の表面を洗浄するように設計される。
【０１０１】
[0135]  ここでは、シュラウド５１２＿７は、半分保護された通路７０１を提供するための曝露面を有する構造物である。シュラウド５１２＿７は非導電体でもあり、したがってシュラウド５１２＿７は自己洗浄デバイスとして作用する。よって、シュラウド５１２＿７は非導電材料で作製される。例えば、シュラウド５１２＿７は、セラミックなどの誘電体で作製され得る。また、洗浄装置５００＿７は、シュラウド５１２＿７の本体を貫通して延びる電気導体５６０＿７を含む。電気導体５６０＿７は、シュラウド５１２＿７の外部表面の全てに隣接する（場所３６１Ｂに類似した）場所５６１＿７で、電流を電磁的に誘起する。
【０１０２】
[0136]  シュラウド５１２＿７の外部表面の全てが同じ圧力に維持され、これはチャンバ５２０＿７内の圧力であることから、電気導体５６０＿７は、図４Ｄに示される一般的な設計と同様、シュラウド５１２＿７内に埋め込まれるように、シュラウド５１２＿７の本体の中を通って導かれる。また、電気導体５６０＿７とシュラウド５１２＿７の任意の外部表面との間の領域は、空洞を欠く中実の領域である。
【０１０３】
[0137]  洗浄装置５００＿７は、電気導体５６０＿７の温度を制御するとともにひいてはシュラウド５１２＿７の温度も制御するように構成された、温度制御システム５９０＿７も含み得る。温度制御システム５９０＿７は、電気導体５６０＿７の表面に隣接して流れる冷却流体（水など）であってもよい。例えば、電気導体５６０＿７は中空のチューブとして設計されてもよく、その中を通って冷却流体が流れて電気導体５６０＿７を冷却するとともにひいてはシュラウド５１２＿７も冷却し得る。
【０１０４】
[0138]  図７Ｄに示されるように、シュラウド５１２＿７は２つの固体片７１２Ａ，７１２Ｂで作製されてもよく、これらは相補的な形状であって且つ各々が相補的な凹部７１３Ａ，７１３Ｂを含む。固体片７１２Ａの凹部７１３Ａは固体片７１２Ａの固体片７１２Ｂに対向する側に形成されており、固体片７１２Ｂの凹部７１３Ｂは固体片７１２Ｂの固体片７１２Ａに対向する側に形成されている。したがって、固体片７１２Ａ，７１２Ｂが一緒に設置されると、凹部７１３Ａ，７１３Ｂは、電気導体５６０＿７を収容するように寸法決めされた開口を形成する。よって、電気導体５６０＿７は凹部７１３Ａと７１３Ｂとの間に挟まれ、固体片７１２Ａ，７１２Ｂは接合され得る。電気導体５６０＿７は、銅又は銅合金などの導電材料で作製され得る。シュラウド５１２＿７の固体片７１２Ａ，７１２Ｂは、シュラウド５１２＿７から電気導体５６０＿７を通って流れる冷却流体への効率的な伝熱を可能にするのに十分な熱伝導率を有する誘電体（セラミックなど）で作製される。固体片７１２Ａ，７１２Ｂにおいて用いられ得る適当なセラミックの一例は窒化ホウ素であるが、窒化アルミニウムを使用することも可能であろう。
【０１０５】
[0139]  図７Ａから図７Ｅの設計では、洗浄装置５００＿７は、（図３Ａ及び図３Ｂの設計と同様に）洗浄対象の表面を有する構造物内に一体化されている。このようにすれば、構造物それ自体が、電気導体５６０＿７を通る電流の流れによって場所５６１＿７における電流の電磁的誘起を可能にする導管となる。
【０１０６】
[0140]  他の実装形態においては、洗浄装置５００＿７は、（図２Ａ及び図２Ｂの設計と同様に）シュラウド５１２＿７とは別個に又は遠隔に設計することが可能である。したがって、洗浄装置５００＿７は、（非導電体２６５Ｂのような）非導電体に隣接する場所で電流を誘起するように構成されてもよく、その後、作り出されたプラズマ粒子１７５をシュラウド５１２＿７の複数又は１つの表面上で押すために流体流パターン２６６が提供又は使用され得る。
【０１０７】
[0141]  図８Ａ及び図８Ｂを参照すると、別の一実装形態においては、洗浄装置５００＿８は、光学コレクタ５４２と中間焦点ＩＦとの間に設置されたライナ又は副容器５１２＿８として実装される。洗浄装置５００＿８は、非導電体であるとともに曝露面を有する構造体であるライナ５１２＿８を含む。洗浄装置５００＿８は、ライナ５１２＿８内に埋め込まれた電気導体５６０＿８と、電気導体５６０＿８に熱接触する温度制御システム５９０＿８とを含む。したがって、曝露面を備えた構造物が非導電体（ライナ５１２＿８）と同一であるから、洗浄装置５００＿８は図３Ａ及び図３Ｂに示される洗浄装置１００と同様に構成されている。したがって、ライナ５１２＿８は誘電体などの非導電材料で作製され、これはセラミックであってもよい。ライナ５１２＿８は、ＥＵＶ光５４５が遮断されることなく光学コレクタ５４２から中間焦点ＩＦへと通過することができるような形状である。ライナ５１２＿８の適当な形状は、光学コレクタ５４２に隣接して位置決めされた平坦な基部ＦＢから中間焦点ＩＦに開口する頂点ＡＰまで滑らかに先細になった円錐形である。他の実装形態においては、ライナ５１２＿８は円筒形状であり、その軸は平坦な基部ＦＢから中間焦点ＩＦへ延びている。他の実装形態においては、ライナ５１２＿８は、容器５２５内での適合を除き、容器５２５と同一の形状である。
【０１０８】
[0142]  ライナ５１２＿８の表面の全てにおける圧力は同一値（チャンバ５２０が保持される値）であるため、電気導体５６０＿８は、図４Ｂに示される一般的な設計と同様に、ライナ５１２＿８の本体を貫通して延びるとともにその中に埋め込まれる。電気導体５６０＿８は、平坦な基部ＦＢから中間焦点ＩＦへ、螺旋形に延びる。電気導体５６０＿８は、ライナ５１２＿８の内側面に隣接する場所５６１＿８で電流を電磁的に誘起する。
【０１０９】
[0143]  洗浄装置５００＿８は、ライナ５１２＿８の内部容積内にターゲット物質５５５を含むように設計されている。また、ターゲット物質５５５を含むことによって、洗浄装置５００＿８は、チャンバ５２０内のすべての表面からデブリをより効率的に洗浄することができる。ＥＵＶ光５４５の生成に寄与するＥＵＶ光源５０２の構成要素の全てがライナ５１２＿８内に含まれるので、これらの構成要素の全てもライナ５１２＿８からの洗浄の恩恵を受けるであろう。
【０１１０】
[0144]  光学コレクタ５４２の非反射側に回り込むようにライナ５１２＿８を延伸させて、光学コレクタ５４２の曝露面からのデブリの除去を更に可能にすることもできる。
【０１１１】
[0145]  ライナ５１２＿８は、洗浄対象の構造物でもある非導電体としての役割を果たすので、ライナ５１２＿８の材料は、電気導体５６０＿８からの電流が場所５６１＿８で電流を電磁的に誘起することを可能にするように、１つ以上の誘電体で作製される。また、温度制御システム５９０＿８は導体５６０＿８と、更にライナ５１２＿８とを冷却するように実装され得ることから、ライナ５１２＿８は、ライナ５１２＿８と導体５６０＿８との間での熱の効率的な伝達を可能にするように、（例えば少なくとも１００Ｗ／ｍ・Ｋの熱伝導率を有する）高度に熱伝導性の材料で作製されてもよい。一例においては、ライナ５１２＿８はセラミック材料で作製され、電気導体５６０＿８は銅又は銅合金で作製される。
【０１１２】
[0146]  このようにして、洗浄装置５００＿８は少なくとも２つの目的を達する。第一に、洗浄装置５００＿８は、ライナ５１２＿８の曝露面の隣の場所５６１＿８でプラズマ粒子１７５を作り出す。第二に、洗浄装置５００＿８は、ライナ５１２＿８の壁を冷却して、ライナ５１２＿８の表面上のデブリの高い除去速度を保証するとともに、ライナ５１２＿８の表面からのターゲット物質５５５の吐き出しも防止する。洗浄装置５００＿８は、ライナ５１２＿８の内部から、及びターゲット物質５５５に曝露されるＥＵＶ光源５０２の構成要素の全てから遠ざかるように、新たな化学物質５８０を排気するための除去装置５８５＿８も含む。
【０１１３】
[0147]  図９Ａ及び図９Ｂを参照すると、別の一実装形態においては、洗浄装置５００＿９はライナ５１２＿９として実装される。ライナ５１２＿９は容器９２５の新たな設計を提供する。図９Ａ及び図９Ｂの例においては、ＥＵＶチャンバ９２０はライナ５１２＿９の内部によって定義される。ライナ５１２＿９は光学コレクタ５４２と中間焦点ＩＦとの間に設置される。洗浄装置５００＿９は、ライナ５１２＿９と、ライナ５１２＿９の外部表面に隣接し接触する電気導体５６０＿９と、電気導体５６０＿９に熱接触する温度制御システム５９０＿９とを含む。ライナ５１２＿９は、非導電体であるとともに、曝露面を有する構造体である。したがって、曝露面を備えた構造物が非導電体（ライナ５１２＿９）と同一であるから、洗浄装置５００＿９は図３Ａ及び図３Ｂに示される洗浄装置１００と同様に構成されている。したがって、ライナ５１２＿９は、セラミックなどの誘電体のような非導電材料で作製される。ライナ５１２＿８と同様に、ライナ５１２＿９は、ＥＵＶ光５４５が遮断されることなく光学コレクタ５４２から中間焦点ＩＦへと通過することができるような形状である。ライナ５１２＿９の適当な形状は、光学コレクタ５４２に隣接して位置決めされた平坦な基部ＦＢから中間焦点ＩＦに開口する頂点ＡＰまで滑らかに先細になった円錐形である。
【０１１４】
[0148]  ライナ５１２＿９の外部表面における圧力はライナ５１２＿９の内部表面に対する圧力（チャンバ９２０が保持される値）とは異なるため、電気導体５６０＿９はライナ５１２＿９の本体には埋め込まれず、その代わりに、図４Ａに示される一般的な設計と同様、外部表面に設置されて接触する。電気導体５６０＿９は、平坦な基部ＦＢから中間焦点ＩＦへ、螺旋形に延びる。電気導体５６０＿９は、ライナ５１２＿９の内側面に隣接する場所５６１＿９で電流を電磁的に誘起する。
【０１１５】
[0149]  洗浄装置５００＿９は、ライナ５１２＿９の内部容積内にターゲット物質５５５を含むように設計されている。ターゲット物質５５５を含むことによって、洗浄装置５００＿９は、チャンバ９２０内のすべての表面からデブリをより効率的に洗浄することができる。ＥＵＶ光５４５の生成に寄与するＥＵＶ光源９０２の構成要素の全てがライナ５１２＿９内に含まれるので、これらの構成要素の全てもライナ５１２＿９からの洗浄の恩恵を受けるであろう。
【０１１６】
[0150]  ライナ５１２＿９は容器９２５の新しい設計であるため、光学コレクタ５４２の曝露面からのデブリの除去を更に可能にするべく、光学コレクタ５４２の非反射側に回り込むように構成されている。ライナ５１２＿９は、洗浄対象の構造物でもある非導電体としてとしての役割を果たすので、ライナ５１２＿９の材料は、電気導体５６０＿９からの電流が場所５６１＿９で電流を電磁的に誘起することを可能にするように、誘電体である。また、温度制御システム５９０＿９は導体５６０＿９と、更にライナ５１２＿９とを冷却するように実装され得ることから、ライナ５１２＿９は、ライナ５１２＿９と導体５６０＿９との間での熱の効率的な伝達を可能にするように、高度に熱伝導性の材料で作製されてもよい。一例においては、ライナ５１２＿９はセラミック材料で作製され、電気導体５６０＿９は銅又は銅合金で作製される。
【０１１７】
[0151]  このようにして、洗浄装置５００＿９は少なくとも２つの目的を達する。第一に、洗浄装置５００＿９は、ライナ５１２＿９の曝露面（内部表面）の隣の場所５６１＿９でプラズマ粒子１７５を作り出す。第二に、洗浄装置５００＿９は、ライナ５１２＿９の壁を冷却して、ライナ５１２＿９の表面上のデブリの高い除去速度を保証するとともに、ライナ５１２＿９の表面からのターゲット物質５５５の吐き出しも防止する。
【０１１８】
[0152]  洗浄装置５００＿９は、ライナ５１２＿９の内部から、及びターゲット物質５５５に曝露されるＥＵＶ光源９０２の構成要素の全てから遠ざかるように、新たな化学物質５８０を排気するための除去装置５８５＿９も含む。
【０１１９】
[0153]  上記の洗浄装置５００＿７，５００＿８，及び５００＿９においては、デブリの洗浄の対象となる表面は、光と光学的に相互作用せずＥＵＶ光５４５の生成には繋がらなかった壁であった。次に図１０Ａから図１０Ｄを参照して述べるように、洗浄装置５００＿１０は、光学コレクタ１０４２の反射面１０４３を洗浄するように設計されている。上述したように、光学コレクタ１０４２の反射面１０４３は、ターゲット５３５と増幅光ビーム５４１との間の相互作用によって生成される発光プラズマ５５０から放出されたＥＵＶ光５４５の少なくとも一部を収集する。
【０１２０】
[0154]  光学コレクタ１０４２の反射面１０４３は異なる種類の金属のいくつかの層で成っているため、電気導体を光学コレクタ１０４２の後面に接触させることは実現可能又は実用的ではない。なぜなら、そのような電気導体を通じて誘導される電流は、反射面１０４３に隣接する場所では電流を効率的に誘起しないであろうためである。したがって、洗浄装置５００＿１０は、図２Ａ及び図２Ｂを参照して説明した洗浄装置と同様に設計される。この洗浄装置において、電気導体５６０＿１０は非導電体１０６５の内部に位置決めされ、プラズマ粒子５７５は非導電体１０６５の付近の場所５６１＿１０で生成される。これらの作り出されたプラズマ粒子５７５は、場所５６１＿１０を通過して反射面１０４３の方へ向かうとともにこれを横切る流体流パターン１０６６によって、曝露反射面１０４３の方へ掃引されるか又は押される。
【０１２１】
[0155]  非導電体１０６５は光学コレクタ１０４２の外面の円周周りに位置決めされたリングであり、電気導体５６０＿１０はそのリング内に埋め込まれ光学コレクタ１０４２の外面の周辺に沿って延びる銅チューブである。洗浄装置５００＿１０は、電気導体５６０＿１０の温度を制御するように、よって非導電体１０６５の温度も制御するように構成された、温度制御システム５９０＿１０も含み得る。温度制御システム５９０＿１０は、電気導体５６０＿１０の表面に隣接して流される冷却流体（水など）であってもよい。例えば、電気導体５６０＿１０は中空のチューブとして設計されてもよく、その中に冷却流体が流されて電気導体５６０＿１０を冷却し、ひいては非導電体１０６５も冷却し得る。
【０１２２】
[0156]  リング１０６５と光学コレクタ１０４２の外面との間の（図１０Ｄに示される）開口１０６７が、材料５７０がその開口を通って流される限り流体流パターン１０６６によってプラズマ粒子５７５が作り出される場所５６１＿１０を定義する。ここでは、材料５７０として水素が、流体流パターン１０６６によって、開口及び場所５６１＿１０を通り、その後光学コレクタ１０４２の反射面１０４３を横切って流される。リング１０６５は、窒化アルミニウムなどのセラミックのような誘電体で作製される。図１０Ｂ及び図１０Ｃにはシュラウド１０１２も示されている。シュラウド１０１２は、ターゲットデリバリシステム５３０と相互作用領域５４０との間にターゲット５３５のための経路を提供するように動作する。シュラウド１０１２は、（洗浄装置５００＿７によって）自己洗浄するように、シュラウド５１２＿７と同様に設計されてもよい。
【０１２３】
[0157]  図１１を参照すると、構造物１１５の表面１１０を洗浄するための手順１１００が実施される。手順１１００は、上述した洗浄装置１００，５００，５００＿７，５００＿８，５００＿９，又は５００＿１０のいずれかによって実施される。最も基本的な説明では図１Ａ及び図１Ｂの洗浄装置１００を参照し、具体例である洗浄装置５００＿７についても手順１１００を参照して述べる。
【０１２４】
[0158]  手順１１００は、材料１７０のプラズマ状態を非導電体１６５に隣接する場所１６１で生成することによって始まる（１１０５）。材料１７０のプラズマ状態はプラズマ粒子１７５を含み、その少なくともいくつかは材料１７０のフリーラジカル又はイオンである。手順１１００は、これらのプラズマ粒子１７５に、構造物１１５の曝露面１１０を通過させて、チャンバ１２０から構造物１１５を取り外すことを要さずに曝露面１１０からデブリ１０５を除去させることも含む（１１１５）。
【０１２５】
[0159]  材料１７０のプラズマ状態の発生（１１０５）は、非導電体１６５に隣接する場所１６１で電流を電磁的に誘起することによって行われる（１１０６）。この誘起された電流（１１０６）は、それによって、近傍にある材料１７０を、物質の第１の状態（液体、気体、又は固体であり得る）からプラズマ状態に変化させる（１１１６）。
【０１２６】
[0160]  次に図１２を参照すると、電流は、手順１２０６を用いて、非導電体１６５に隣接する場所で誘起され得る（１１０６）。具体的には、時間変動電流が、非導電体１６５に隣接する電気導体１６０を通じて流される（１２０７）。電気導体１６０を通じて流される電流は無線周波数であってもよい。電気導体１６０を通る電流の流れ（１２０７）は、それによってチャンバ１２０内で非導電体１６５の付近に時間変動磁界を生成する（１２０８）。生成された時間変動磁界（１２０８）は、場所１６１で電流を電磁的に誘起する（１１０６）。
【０１２７】
[0161]  手順１１００は、温度制御システム１９０を用いて構造物１１５及び曝露面１１０の温度をある温度範囲内に維持することも含み得る。例えば、構造物１１５及び曝露面１１０の温度は、５０度未満だが電気導体１６０の内部通路１９５を通じて流される冷却流体の冷凍温度よりも高く維持され得る。したがって、手順１１００は、（内部を定義する導電性の管であり得る）電気導体１６０の内部を通じて冷却流体（水など）を流すこと又は提供することも含み得る。
【０１２８】
[0162]  手順１１００，１１０５，及び１２０６は、酸素の存在なしに実施され得る。
【０１２９】
[0163]  図２Ａから図２Ｃの実装形態に示されるように、非導電体１６５は、曝露面１１０を備える構造物１１５とは異なっていてもよい。すると、これらの実装形態では、（例えば流体流パターン２６６を用いて）プラズマ粒子１７５を非導電体１６５の付近の場所１６１から曝露面１１０の方へ向かって及びこれを横切って移動させることによって、プラズマ粒子１７５に、構造物１１５の曝露面１１０を通過させて、曝露面１１０からデブリ１０５を除去させることができる（１１１５）。図１０Ａから図１０Ｄの洗浄装置５００＿１０はそのような実装形態の一例である。
【０１３０】
[0164]  図３Ａから図３Ｂの実装形態に示されるように、非導電体１６５は曝露面１１０を備える構造物１１５と同一であってもよく、構造物３１２と称され得る。すると、これらの実装形態においては、材料１７０のプラズマ状態が発生する非導電体１６５に隣接する場所１６１は、実際に構造物１１５の曝露面１１０に隣接し、プラズマ粒子１７５はその曝露面１１０を通過して、発生するデブリ１０５を除去することができる（１１１５）。図７Ａから図７Ｅの洗浄装置５００＿７はそのような実装形態の一例である。図８Ａ及び図８Ｂの洗浄装置５００＿８はそのような実装形態の別の一例である。そして、図９Ａ及び図９Ｂの洗浄装置５００＿９はそのような実装形態のまた別の一例である。
【０１３１】
[0165]  デブリの除去（１１１５）は、（曝露面１１０を通過中の）プラズマ粒子１７５をデブリ１０５と化学反応させて、曝露面１１０から放出される新たな化学物質１８０を形成することによって起こり得る。よって、手順１１００は、チャンバ１２０から放出される新たな化学物質１８０を除去することも含み得る。
【０１３２】
[0166]  図１３Ａから図１３Ｂを参照して、手順１１００の一例について、シュラウド５１２＿７に関して述べる。当初は、図１３Ａに示されるように、デブリ１０５はシュラウド５１２＿７の曝露面上に形成されている。この例においては、デブリ１０５の小さな斑点しか示されていないが、デブリ１０５はシュラウド５１２＿７の曝露面の全体に形成され得る。上述したように、デブリ１０５は余った又は残ったターゲット物質５５５から形成される。洗浄装置５００＿７はまだオンになっておらず、したがって図１３Ａでは手順１１００はまだ始まっていない。次に、図１３Ｂに示されるように、シュラウド５１２＿７の付近の、チャンバ５２０内の材料５７０から、プラズマ状態（プラズマ粒子５７５を含む）が発生される。したがって、図１３Ｂにおいては、プラズマ粒子５７５が生成されている。図１３Ｃに示されるように、プラズマ粒子５７５はシュラウド５１２＿７の曝露面を通過することができ、それによって（新たな化学物質５８０として曝露面から放出される）デブリ１０５を除去することができる。
【０１３３】
[0167]  図１４を参照すると、いくつかの実装形態においては、洗浄装置１００（又は５００，５００＿７，５００＿８，５００＿９，もしくは５００＿１０）は、ＥＵＶ光１４８４をリソグラフィ装置１４８５に供給するＥＵＶ光源１４００内に実装される。
リソグラフィ装置１４８５は、放射ビームＢ（例えばＥＵＶ光１４８４）を調節するように構成された照明システム（イルミネータ）ＩＬと、パターニングデバイス（例えばマスク又はレチクル）ＭＡを支持するように構築され、パターニングデバイスを正確に位置決めするように構成された第１のポジショナＰＭに接続された支持構造（例えばマスクテーブル）ＭＴと、基板（例えばレジストコートウェーハ）Ｗを保持するように構築され、基板を正確に位置決めするように構成された第２のポジショナＰＷに接続された基板テーブル（例えばウェーハテーブル）ＷＴと、パターニングデバイスＭＡによって放射ビームＢに付与されたパターンを基板Ｗのターゲット部分Ｃ（例えば１つ以上のダイを含む）に投影するように構成された投影システム（例えば反射型投影システム）ＰＳとを備える。
【０１３４】
[0168]  照明システムＩＬは、放射を誘導し、整形し、又は制御するための、屈折型、反射型、磁気型、電磁型、静電型、又はその他のタイプの光学コンポーネント、あるいはそれらの任意の組み合わせなどの様々なタイプの光学コンポーネントを含むことができる。支持構造ＭＴは、パターニングデバイスの方向、リソグラフィ装置の設計等の条件、例えばパターニングデバイスが真空環境で保持されているか否かに応じた方法で、パターニングデバイスＭＡを保持する。支持構造ＭＴは、パターニングデバイスを保持するために、機械的、真空、静電等のクランプ技術を使用することができる。支持構造ＭＴは、例えばフレーム又はテーブルでよく、必要に応じて固定式又は可動式でよい。支持構造ＭＴは、パターニングデバイスが例えば投影システムＰＳなどに対して確実に所望の位置にくるようにできる。
【０１３５】
[0169]  本明細書において使用する「パターニングデバイス」という用語は、基板のターゲット部分にパターンを生成するように、放射ビームの断面にパターンを付与するために使用し得る任意のデバイスを指すものとして広義に解釈されるべきである。放射ビームに付与されるパターンは、集積回路などのターゲット部分に生成されるデバイスの特定の機能層に相当する。パターニングデバイスは透過性又は反射性でよい。パターニングデバイスの例には、マスク、プログラマブルミラーアレイ、及びプログラマブルＬＣＤパネルがある。マスクはリソグラフィにおいて周知のものであり、これには、バイナリマスク、レベンソン型（alternating）位相シフトマスク、ハーフトーン型（attenuated）位相シフトマスクのようなマスクタイプ、更には様々なハイブリッドマスクタイプも含まれる。プログラマブルミラーアレイの一例として、小型ミラーのマトリクス配列を使用し、ミラーは各々、入射する放射ビームを異なる方向に反射するように個々に傾斜することができる。傾斜したミラーは、ミラーマトリクスによって反射する放射ビームにパターンを付与する。
【０１３６】
[0170]  投影システムＰＳは、照明システムＩＬと同様に、使用する露光放射、又は真空の使用などの他の要因に合わせて適宜、例えば屈折、反射、磁気、電磁、静電型等の光学コンポーネント、又はその任意の組み合わせなどの様々なタイプの光学コンポーネントを含んでいてもよい。その他のガスは放射を吸収しすぎるため、ＥＵＶ放射用には真空を使用することが望ましいことがある。したがって、真空環境は、真空壁及び真空ポンプを用いてビーム経路全体に提供してもよい。
【０１３７】
[0171]  本明細書で示すように、本装置は反射タイプである（例えば反射マスクを使用する）。
【０１３８】
[0172]  リソグラフィ装置は、２つ（デュアルステージ）又はそれ以上の基板テーブル（及び／又は２つ以上のパターニングデバイステーブル）を有するタイプでよい。このような「マルチステージ」機械においては、追加のテーブルを並行して使用するか、１つ以上の他のテーブルを露光に使用している間に１つ以上のテーブルで予備工程を実行することができる。
【０１３９】
[0173]  図１５も参照すると、イルミネータＩＬはＥＵＶ光源１４００から極紫外放射ビーム（ＥＵＶ光１５７５）を受ける。ＥＵＶ光を生成する方法は、ＥＵＶ領域に１つ以上の輝線を有する少なくとも１つの元素、例えばキセノン、リチウム、又はスズを有する材料をプラズマ状態に変換することを含むが、必ずしもこれに限定されない。レーザ生成プラズマ（「ＬＰＰ」）と呼ばれることの多い１つのそのような方法においては、必要とされるプラズマは、必要な線発光元素を有する材料の液滴、流れ、又はクラスタなどの燃料をレーザビームで照射することによって生成可能である。ＥＵＶ光源１４００はＥＵＶ光源５０２又は９０２のように設計されてもよい。上述したように、結果として得られるプラズマは出力放射、例えばＥＵＶ放射を放出し、これは光学素子５４２（又は放射コレクタ）を用いて収集される。
【０１４０】
[0174]  放射ビームＢは、支持構造（例えばマスクテーブル）ＭＴ上に保持されているパターニングデバイス（例えばマスク）ＭＡに入射し、パターニングデバイスによってパターン付与される。パターニングデバイス（例えばマスク）ＭＡから反射された後、放射ビームＢは、ビームを基板Ｗのターゲット部分Ｃに合焦させる投影システムＰＳを通過する。第２のポジショナＰＷ及び位置センサＰＳ２（例えば、干渉デバイス、リニアエンコーダ又は容量センサ）の助けにより、基板テーブルＷＴを、例えば様々なターゲット部分Ｃを放射ビームＢの経路に位置決めするように正確に移動できる。同様に、第１のポジショナＰＭ及び別の位置センサＰＳ１を使用して、放射ビームＢの経路に対してパターニングデバイス（例えばマスク）ＭＡを正確に位置決めすることができる。パターニングデバイス（例えばマスク）ＭＡ及び基板Ｗは、パターニングデバイスアライメントマークＭ１、Ｍ２及び基板アライメントマークＰ１、Ｐ２を使用して位置合わせすることができる。
【０１４１】
[0175]  図示のリソグラフィ装置は、以下のモードのうち少なくとも１つにて使用可能である。
１．ステップモードでは、支持構造（例えばマスクテーブル）ＭＴ及び基板テーブルＷＴは、基本的に静止状態に維持される一方、放射ビームに付与されたパターン全体が１回でターゲット部分Ｃに投影される（すなわち単一静的露光）。次に、別のターゲット部分Ｃを露光できるように、基板テーブルＷＴがＸ方向及び／又はＹ方向に移動される。
２．スキャンモードでは、支持構造（例えばマスクテーブル）ＭＴ及び基板テーブルＷＴは同期的にスキャンされる一方、放射ビームに付与されるパターンがターゲット部分Ｃに投影される（すなわち単一動的露光）。支持構造（例えばマスクテーブル）ＭＴに対する基板テーブルＷＴの速度及び方向は、投影システムＰＳの拡大（縮小）及び像反転特性によって求めることができる。
３．別のモードでは、支持構造（例えばマスクテーブル）ＭＴはプログラマブルパターニングデバイスを保持して基本的に静止状態に維持され、基板テーブルＷＴを移動又はスキャンさせながら、放射ビームに与えられたパターンをターゲット部分Ｃに投影する。このモードでは、一般にパルス放射源を使用して、基板テーブルＷＴを移動させる毎に、又はスキャン中に連続する放射パルスの間で、プログラマブルパターニングデバイスを必要に応じて更新する。この動作モードは、以上で言及したようなタイプのプログラマブルミラーアレイなどのプログラマブルパターニングデバイスを使用するマスクレスリソグラフィに容易に利用できる。
【０１４２】
[0176]  上述した使用モードの組み合わせ及び／又は変形、又は全く異なる使用モードも利用できる。
【０１４３】
[0177]  図１５は、ＥＵＶ光源１５００と、照明システムＩＬと、投影システムＰＳとを含むリソグラフィ装置１５８５の一実装形態をより詳細に示す。ＥＵＶ光源１５００は、ＥＵＶ光源５０２又は９０２を説明したときに上述したように構築及び配列されている。
【０１４４】
[0178]  システムＩＬ及びＰＳは同様に自身の真空環境内に収められている。ＥＵＶ光源１５００の中間焦点（ＩＦ）は、内包構造体のアパーチャ又はその付近に位置するように配列される。仮想光源点ＩＦは放射放出プラズマ（例えばＥＵＶ光１４５又は５４５）の像である。
【０１４５】
[0179]  中間焦点ＩＦのアパーチャから、放射ビームは、照明システムＩＬを横断する。この例では、照明システムは、ファセット視野ミラーデバイス１５２２及びファセット瞳ミラーデバイス１５２４を含む。これらのデバイスは所謂「フライアイ（fly’s eye）」イルミネータを形成し、これは、パターニングデバイスＭＡにおいて放射ビーム１５２１の所望の角度分布を、並びに（参照符号１５６０によって示されるように）パターニングデバイスＭＡにおいて放射線強度の所望の均一性を提供するように配列される。支持構造（マスクテーブル）ＭＴによって保持されたパターニングデバイスＭＡにおいてビーム１５２１が反射されると、パターン付与されたビーム１５２６が形成され、そのパターン付与されたビーム１５２６は、投影システムＰＳにより、反射素子１５２８，１５３０を介して、基板テーブルＷＴによって保持された基板Ｗ上に結像される。基板Ｗ上のターゲット部分Ｃを露光させるために放射のパルスが発生され、その一方で、基板テーブルＷＴ及びパターニングデバイステーブルＭＴは同期移動を行い、照明のスリットを通じてパターニングデバイスＭＡ上のパターンをスキャンする。
【０１４６】
[0180]  各システムＩＬ及びＰＳは、ＥＵＶチャンバ５２０に類似の内包構造体によって定義される、自身の真空又は略真空環境内に配列される。一般に、照明システムＩＬ及び投影システムＰＳには、図示されるよりも多くの素子が存在し得る。また、図示されているよりも多くのミラーがあってもよい。例えば、照明システムＩＬ及び／又は投影システムＰＳには、図１５に図示されているものの他に、１つから６つの追加的な反射素子が存在し得る。
【０１４７】
[0181]  再び図５を参照すると、ターゲットデリバリシステム５３０は、ＥＵＶチャンバ５２０内に配列され且つ相互作用領域５４０に向かって液滴（ターゲット５３５）の高周波数流５３２を発射するように配列された液滴生成器を含んでいてもよい。動作時には、液滴生成器の動作と同期して増幅光ビーム５４１が送出され、放射のパルスを送出して各液滴（各ターゲット５３５）を発光プラズマ５５０に変える。液滴の送出の周波数は、数キロヘルツ、例えば５０ｋＨｚであってもよい。
【０１４８】
[0182]  いくつかの実装形態においては、増幅光ビーム５４１からのエネルギは少なくとも２つのパルスで送出される。すなわち、燃料物質を蒸発させて小さな雲にするために、液滴が相互作用領域５４０に到達する前に、限られたエネルギのプリパルスが液滴へと送出され、その後、エネルギのメインパルスが相互作用領域５４０の雲へと送出されて、発光プラズマ５５０を発生させる。ＥＵＶチャンバ５２０の反対側には、この燃料（つまりターゲット物質５５５又はターゲット５３５）であって何らかの理由でプラズマに変わらないものを捕捉するために、トラップ（例えばレセプタクルであってもよい）が提供される。
【０１４９】
[0183]  ターゲットデリバリシステム５３０内の液滴生成器は、燃料液体（例えば溶融スズ）と、フィルタと、ノズルとを含むリザーバを備える。ノズルは、相互作用領域５４０に向かって燃料液体の液滴を吐出するように構成されている。燃料液体の液滴は、リザーバ内の圧力とピエゾアクチュエータ（図示しない）によりノズルに加えられる振動との組み合わせによって、ノズルから吐出され得る。
【０１５０】
[0184]  他の実装形態は以下の特許請求の範囲内にある。
【０１５１】
[0185]  例えば、本明細書において示される光学コレクタ５４２は単一曲面ミラーであるが、これは別の形をとってもよい。例えば、光学コレクタ５４２は、２つの放射収集面を有するシュヴァルツシルトコレクタであってもよい。別の一実装形態においては、光学コレクタ５４２は、互いに入れ子式になった複数の実質的に円筒形のリフレクタを含む斜入射型コレクタである。
【０１５２】
[0186]  別の一例として、シュラウド５１２＿７は、図７Ａから図７Ｅに示されるものとは異なる形状設計を有していてもよい。例えば、図１６Ａ及び図１６Ｂに示されるように、シュラウド５１２＿７は、ターゲットデリバリシステム５３０から相互作用領域５４０へ軸方向に沿って延びる中空円筒１６１２＿７の形状であってもよい。ターゲット５３５は中空円筒の開口を軸方向に通過する。ここでは、中空円筒の形状であるシュラウド１６１２＿７は、完全に保護された通路１６０１を提供する。
【０１５３】
[0187]  別の一例として、シュラウド５１２＿７は平坦パネルの形状であってもよく、この平坦パネルは、ターゲットデリバリシステム５３０から相互作用領域５４０に向かう経路沿いの一方向に沿って乱流によるターゲット５３５の混乱に対するバリアを提供する。
【０１５４】
[0188]  図１７Ａを参照すると、いくつかの実装形態においては、シュラウド５１２＿７は、中空円筒１６１２＿７に類似の中空円筒１７１２＿７Ａとして設計される。シュラウド５１２＿７は誘電体材料で作製される。しかしながら、電気導体１７６０＿７Ａはシュラウド１７１２＿７Ａの本体には埋め込まれず、その代わりに、図４Ａに示される一般的な設計と同様、外部表面周りに設置される。電気導体１７６０＿７Ａはシュラウド１７１２＿７Ａの縦軸に沿って螺旋形状に延びる。そのような縦軸は、−Ｘ方向と略整列する。
【０１５５】
[0189]  図１７Ｂを参照すると、他の実装形態においては、シュラウド５１２＿７は、（シュラウド１７１２＿７Ａに類似の）管状の部分ＴＳと（シュラウド５１２＿７に類似の）Ｕ字形の部分ＵＳとを含むハイブリッド構造１７１２＿７Ｂとして設計され、その周りに電気導体１７６０＿７Ｂが巻回される。
【０１５６】
[0190]いくつかの実装形態においては、電気導体１７６０＿７Ａ，１７６０＿７Ｂは、電気導体を包囲する低圧水素Ｈ２によって電気的に絶縁される。また、電気導体１７６０＿７Ａ，１７６０＿７Ｂは、（誘電体材料で作製された）シュラウド５１２＿７の本体と接触する必要はない。いくつかの実装形態においては、電気導体１７６０＿７Ａ，１７６０＿７Ｂは誘電体材料で被覆される。
【０１５７】
[0191]  図１８Ａを参照すると、いくつかの実装形態においては、電源１９１は、（破線として図示されている）単一の電流１８９３を電気導体１６０に供給するように構成されている。
【０１５８】
[0192]  他の実装形態においては、図１８Ｂに示されるように、電源１９１は、第１の周波数の第１の電流１８９３＿１を電気導体１６０に供給するとともに第２の周波数の第２の電流１８９３＿２を電気導体１６０に供給するように構成されている。第２の周波数は第１の周波数とは異なる。そのような実装形態においては、洗浄装置１００は２つの機能を果たし得る。
【０１５９】
[0193]  第１の機能は、上述したもの、つまり、曝露面１１５からデブリ１０５を除去することである。この第１の機能を果たすために、電気導体１６０に第１の周波数の第１の電流１８９３＿１が供給される。第１の周波数は、曝露面１１５からデブリ１０５を除去するというこの第１の機能を可能にするように選択される。したがって、上述したように、第１の周波数は無線周波数であり得る。例えば、第１の周波数は、５００ｋＨｚから３ＧＨｚの範囲であってもよい。
【０１６０】
[0194]  第２の機能は、非導電体１６５及び／又は構造物１１５を加熱することなく（誘導加熱によって）デブリ１０５に直接的に熱を結合することである。つまり、第２の周波数の第２の電流１８９３＿２を電気導体１６０に印加し、それによって構造物表面上のデブリ１０５を誘導加熱して蒸発させることである。第２の機能を果たすために、電気導体１６０に第２の電流１８９３＿２が供給される。第２の周波数は無線周波数未満であろう。例えば、第２の周波数は、５００ｋＨｚ未満であるか、又は１００Ｈｚから２００ｋＨｚの範囲であってもよい。第２の電流１８９３＿２の使用により、非導電体１６５及び／又は構造物１１５に印加される抵抗加熱が回避されるか又はその量が低減される。
【０１６１】
[0195]  第２の周波数１８９３＿２は、第１の周波数と第２の周波数との両方が同時に又は時間的に交互に印加され得るように、第１の周波数と十分に異なっていなければならない。例えば、第２の周波数１８９３＿２は２００ｋＨｚ未満であってもよい。第２の電流１８９３＿２は第１の電流１８９３＿２と同時に、別に、又は交互に供給され得る。電源１９１は第１及び第２の電流１８９３＿１，１８９３＿２を交流（ＡＣ）として又はパルス直流（ＤＣ）として提供し得る。例えば、電源１９１は、デュアル周波数交流を電気導体１６０に印加するように構成されていてもよい。別の一例としては、電源１９１は、パルス直流を電気導体１６０に印加するように構成されていてもよい。
【０１６２】
[0196]  実施形態は更に、以下の条項を用いて記載することもできる。
１．  極端紫外線（ＥＵＶ）光源のチャンバ内の構造物の表面を洗浄する方法であって、方法は、
チャンバ内にある非導電体に隣接する場所に存在する材料のプラズマ状態を発生させることであって、
発生させることは、非導電体に隣接する場所で電流を電磁的に誘起し、それによって非導電体に隣接する材料を第１の状態からプラズマ状態に変化させることを含み、材料のプラズマ状態はプラズマ粒子を含み、その少なくともいくつかは材料のフリーラジカルである、発生させることと、
プラズマ粒子に構造物表面を通過させて、構造物をＥＵＶ光源のチャンバから取り外すことなく構造物表面からデブリを除去することと、
を備える、方法。
２．  構造物の温度を５０℃未満に維持することを更に備える、条項１の方法。
３．  構造物表面は、チャンバ内に存在する光と光学的に相互作用するとともに光を修正するように位置決めされる、条項１の方法。
４．  材料のプラズマ状態を発生させることは、酸素の存在なしに材料のプラズマ状態を発生させることを備える、条項１の方法。
５．  材料のプラズマ状態を発生させることは、構造物表面を横切って流れる材料の量を低減させることなしに材料のプラズマ状態を発生させることを備える、条項１の方法。
６．  電流を電磁的に誘起することは、非導電体に隣接する導電性の管を通じて電流を流すことを備える、条項１の方法。
７．  導電性の管を通じて流れる電流は無線周波数である、条項６の方法。
８．  電流を電磁的に誘起することは、非導電体でマイクロ波放射を発生させること又は非導電体に沿って電磁表面波を伝搬することを備える、条項１の方法。
９．  導電性の管の内部を通じて冷却流体を提供して非導電体又は構造物の温度を閾値温度未満に維持することを更に備える、条項６の方法。
１０．  構造物は非導電体を含み、
非導電体に隣接する場所で材料のプラズマ状態を発生させることは、構造物表面に隣接する場所で材料のプラズマ状態を発生させることを備える、条項６の方法。
１１．  構造物は非導電体とは異なる、条項６の方法。
１２．  材料のプラズマ状態に構造物表面を通過させることは、非導電体の付近の場所から構造物表面の方に向かって及び構造物表面を横切ってプラズマ粒子を移動させることを備える、条項１１の方法。
１３．  非導電体に隣接する場所で電流を電磁的に誘起することは、チャンバ内において非導電体の付近で時間変動磁界を生成することを備え、
チャンバ内で時間変動磁界を生成することは、非導電体に隣接する電気導体を通じて時間変動電流を流すことを備える、条項１の方法。
１４．  プラズマ粒子は、少なくとも材料のイオン、電子、及びフリーラジカルを含む、条項１の方法。
１５．  材料は水素を備える、条項１の方法。
１６．  構造物表面からデブリを除去することは、構造物表面上でプラズマ粒子をデブリと化学反応させて構造物表面から放出される化学物質を形成することを備える、条項１の方法。
１７．  放出される化学物質をチャンバから除去することを更に備える、条項１６の方法。
１８．  材料は水素を含み、プラズマ粒子は水素のフリーラジカルを含み、
基板表面上のデブリはスズ又は炭素を含み、
放出される化学物質は、デブリがスズを含む場合には水素化スズを、又は、デブリが炭素を含む場合にはメタンを含む、条項１６の方法。
１９．  チャンバは大気圧よりも低い圧力に保持される、条項１の方法。
２０．  非導電体は誘電体で作製される、条項１の方法。
２１．  電流を電磁的に誘起することは、非導電体に隣接する電気導体を通じて電流を流すことを備え、電気導体を通じて電流を流すことは、第１の周波数の第１の電流を電気導体に印加すること、及び第１の周波数とは異なる第２の周波数の第２の電流を電気導体に印加することを備える、条項１の方法。
２２．  第１の周波数は無線周波数であり、第２の周波数は無線周波数よりも低い、条項２１の方法。
２３．  第１の電流及び第２の電流を印加することは、デュアル周波数交流又はパルス直流を電気導体に印加することを備える、条項２１の方法。
２４．  第１の電流を第１の周波数で電気導体に印加し、それによって非導電体に隣接する材料を第１の状態からプラズマ粒子を含む材料のプラズマ状態に変化させ、
第２の電流を第２の周波数で電気導体に印加し、それによって構造物表面上のデブリを誘導加熱し蒸発させる、条項２１の方法。
２５．  極端紫外線（ＥＵＶ）光源であって、
チャンバと、
ターゲットをチャンバ内の相互作用領域の方に向けるように構成されたターゲットデリバリシステムと、を備え、ターゲットはプラズマに変換されたときに極端紫外線光を放出する物質を備える、ＥＵＶ光源と、
曝露面を含むチャンバ内の構造物と、
構造物の付近にあり、チャンバから構造物を取り外すことなしに構造物の曝露面からターゲットデブリを除去するように構成された洗浄装置であって、
非導電体に接触する電気導体を備え、
非導電体に隣接する場所で電流を電磁的に誘起し、それによってチャンバ内に存在する材料を第１の状態からプラズマ粒子を含むプラズマ状態に変化させるように構成されており、プラズマ粒子のうち少なくともいくつかは材料のフリーラジカル及びイオンである、洗浄装置と、
を備える装置において、
非導電体は、構造物に対して、プラズマ粒子が構造物の曝露面上のデブリに接触するように構成される、装置。
２６．  電気導体に熱的に結合された温度制御システムを更に備え、温度制御システムは、洗浄装置に隣接する構造物の温度を閾値範囲内に維持するように構成された、条項２５の装置。
２７．  温度制御システムは、洗浄装置に隣接する構造物の温度を最大閾値未満に維持する、条項２６の装置。
２８．  最大閾値は５０℃である、条項２７の装置。
２９．  温度制御システムは、電気導体の内部通路を通じて冷却流体を送り込むように構成された流体制御システムを含む、条項２５の装置。
３０．  曝露面は光と光学的に相互作用するとともに光を修正する、条項２５の装置。
３１．  光は、ターゲットと相互作用する増幅光ビームであるか、又はターゲットによって生成されるＥＵＶ光である、条項３０の装置。
３２．  非導電体に隣接する場所から曝露面に向かって及び曝露面上にプラズマ粒子を流すように構成された流れ装置を更に備える、条項２５の装置。
３３．  電流を電磁的に誘起することは電気導体を通じて電流を流すことを備え、電気導体を通じて流れる電流は無線周波数である、条項２５の装置。
３４．  曝露面を有する構造物と非導電体とは同一の物理的構造物である、条項２５の装置。
３５．  曝露面を有する構造物は非導電体とは物理的に異なる、条項２５の装置。
３６．  非導電体は、ターゲットデリバリシステムから相互作用領域へのターゲットのための通路を含むシュラウドを含む、条項２５の装置。
３７．  曝露面を有する構造物はＥＵＶ光源の集光ミラーであり、集光ミラーはプラズマから放出されるＥＵＶ光の少なくとも一部を捕捉するように位置決めされ、非導電体は集光ミラーの外面周りに位置決めされたリングを含む、条項２５の装置。
３８．  曝露面を有する構造物は非導電体であり、
ＥＵＶ光源は、集光ミラーと中間焦点との間にライナを含み、
構造物はライナを備え、ライナの内部表面は、集光ミラーから中間焦点に向かって反射されたＥＵＶ光に対向するとともに曝露構造物表面を構成する、条項２５の装置。
３９．  電気導体は、ライナの外部表面が内部表面の圧力とは異なる圧力にある場合にはライナの外部表面の外部に位置決めされ、又は、電気導体は、ライナの外部表面が内部表面と同一の圧力に保持される場合にはライナに埋め込まれ、
誘起された電流はライナの内部表面にある、条項３８の装置。
４０．  ライナは、集光ミラーに隣接して位置決めされた平坦な基部から中間焦点に開口する頂点まで滑らかに先細になった円錐形の形状を有する、条項３８の装置。
４１．  非導電体は誘電体で作製される、条項２５の装置。
４２．  誘電体はセラミックを含む、条項４１の装置。
４３．  セラミックは窒化アルミニウム又は窒化ホウ素を含む、条項４１の装置。
４４．  ターゲットはスズを含み、材料は水素を含み、洗浄装置は、酸素の存在なしに構造物の曝露面からスズデブリ及び炭素デブリのうち１つ以上を除去するように構成される、条項２５の装置。
４５．  電気導体は、非導電体の第１の側と第２の側とにおける圧力が等しい場合には、非導電体に埋め込まれ、又は、
電気導体は、非導電体の第１の側における圧力が第２の側における圧力と異なる場合には、非導電体の第１の側の外部に隣接して第１の側の外部にある、条項２５の装置。
４６．  チャンバは大気圧よりも低い圧力に保持される、条項２５の装置。
４７．  電気導体に電流を供給するように構成された電源を更に備える、条項２５の装置。
４８．  電源が接続された制御装置を更に備え、制御装置は、電源に信号を送信し、それによって洗浄装置を動作させるように構成される、条項４７の装置。
４９．  材料をチャンバ内に導入するように構成された流体ポートを更に備える、条項２５の装置。
５０．  洗浄装置は、非導電体に沿って電磁表面波を伝搬すること又は非導電体においてマイクロ波放射を発生させることによって、非導電体に隣接する場所で電流を電磁的に誘起するように構成される、条項２５の装置。
５１．  洗浄装置は、電気導体に電流を供給するために電気的に接続された電源を含み、
電源は、第１の周波数の第１の電流を電気導体に供給するとともに第２の周波数の第２の電流を電気導体に供給するように構成されており、第２の周波数は第１の周波数とは異なる、条項２５の装置。
５２．  第１の周波数は無線周波数であり、第２の周波数は無線周波数未満である、条項５１の装置。
５３．  電源は、デュアル周波数交流又はパルス直流のいずれかを電気導体に印加するように構成される、条項５１の装置。
５４．  極端紫外線（ＥＵＶ）光源であって、
チャンバと、
ターゲットをチャンバ内の相互作用領域の方に向けるように構成されたターゲットデリバリシステムと、を備え、ターゲットはプラズマに変換されたときに極端紫外線光を放出する物質を備える、ＥＵＶ光源と、
ターゲットデリバリシステムから相互作用領域に延びるチャネルを定義するチャンバ内のシュラウドであって、シュラウドの外部表面はターゲットから生成されるデブリに曝露され、
チャネルを定義する非導電体と、
非導電体に隣接する電気導体と、を含み、
電気導体は、シュラウドに隣接する場所で電流を電磁的に誘起し、それによってチャンバ内に存在する材料を第１の状態からプラズマ粒子を含むプラズマ状態に変化させ、プラズマ粒子のうち少なくともいくつかは材料のフリーラジカル及びイオンである、シュラウドと、
を備える装置において、
電気導体は、非導電体に対して、プラズマ粒子が曝露シュラウド表面に固定されたデブリと化学反応し、それによって曝露シュラウド表面からデブリを放出するように位置決めされる、装置。
５５．  電気導体に熱的に結合された温度制御システムを更に備え、温度制御システムは、チャネル表面の温度を閾値未満に維持するように構成された、条項５４の装置。
５６．  温度制御装置は、チャネル表面を冷却するように構成されており、それによってデブリがチャネル表面で溶融することを防止する、条項５５の装置。
５７．  電気導体は非導電体に埋め込まれ、及び／又は
電気導体は非導電体に接触する、条項５４の装置。
５８．  非導電体は誘電体で作製される、条項５４の装置。
５９．  電気導体は非導電体の外部表面に回り込み、電気導体は誘電体材料で被覆される、条項５４の装置。
【図１Ａ】
2021513097.tif 000005
【図１Ｂ】
2021513097.tif 000006
【図２Ａ】
2021513097.tif 000007
【図２Ｂ】
2021513097.tif 000008
【図２Ｃ】
2021513097.tif 000009
【図３Ａ】
2021513097.tif 000010
【図３Ｂ】
2021513097.tif 000011
【図４Ａ】
2021513097.tif 000012
【図４Ｂ】
2021513097.tif 000013
【図４Ｃ】
2021513097.tif 000014
【図４Ｄ】
2021513097.tif 000015
【図５】
2021513097.tif 000016
【図６Ａ】
2021513097.tif 000017
【図６Ｂ】
2021513097.tif 000018
【図６Ｃ】
2021513097.tif 000019
【図６Ｄ】
2021513097.tif 000020
【図７Ａ】
2021513097.tif 000021
【図７Ｂ】
2021513097.tif 000022
【図７Ｃ】
2021513097.tif 000023
【図７Ｄ】
2021513097.tif 000024
【図７Ｅ】
2021513097.tif 000025
【図８Ａ】
2021513097.tif 000026
【図８Ｂ】
2021513097.tif 000027
【図９Ａ】
2021513097.tif 000028
【図９Ｂ】
2021513097.tif 000029
【図１０Ａ】
2021513097.tif 000030
【図１０Ｂ】
2021513097.tif 000031
【図１０Ｃ】
2021513097.tif 000032
【図１０Ｄ】
2021513097.tif 000033
【図１１】
2021513097.tif 000034
【図１２】
2021513097.tif 000035
【図１３Ａ】
2021513097.tif 000036
【図１３Ｂ】
2021513097.tif 000037
【図１３Ｃ】
2021513097.tif 000038
【図１４】
2021513097.tif 000039
【図１５】
2021513097.tif 000040
【図１６Ａ】
2021513097.tif 000041
【図１６Ｂ】
2021513097.tif 000042
【図１７Ａ】
2021513097.tif 000043
【図１７Ｂ】
2021513097.tif 000044
【図１８Ａ】
2021513097.tif 000045
【図１８Ｂ】
2021513097.tif 000046
【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
極端紫外線（ＥＵＶ）光源のチャンバ内の構造物の表面を洗浄する方法であって、前記方法は、
前記チャンバ内にある非導電体に隣接する場所に存在する材料のプラズマ状態を発生させることであって、
前記発生させることは、前記非導電体に隣接する前記場所で電流を電磁的に誘起し、それによって前記非導電体に隣接する前記材料を第１の状態から前記プラズマ状態に変化させることを含み、前記材料の前記プラズマ状態はプラズマ粒子を含み、その少なくともいくつかは前記材料のフリーラジカルである、前記発生させることと、
前記プラズマ粒子に前記構造物表面を通過させて、前記構造物を前記ＥＵＶ光源の前記チャンバから取り外すことなく前記構造物表面からデブリを除去することと、
を備える、方法。
【請求項２】
前記構造物表面は、前記チャンバ内に存在する光と光学的に相互作用するとともに前記光を修正するように位置決めされる、請求項１の方法。
【請求項３】
前記材料の前記プラズマ状態を発生させることは、酸素の存在なしに前記材料の前記プラズマ状態を発生させることを備える、請求項１の方法。
【請求項４】
前記電流を電磁的に誘起することは、前記非導電体に隣接する導電性の管を通じて電流を流すことを備える、請求項１の方法。
【請求項５】
前記電流を電磁的に誘起することは、前記非導電体でマイクロ波放射を発生させること又は前記非導電体に沿って電磁表面波を伝搬することを備える、請求項１の方法。
【請求項６】
前記構造物は前記非導電体を含み、
前記非導電体に隣接する前記場所で前記材料の前記プラズマ状態を発生させることは、前記構造物表面に隣接する場所で前記材料の前記プラズマ状態を発生させることを備える、請求項４の方法。
【請求項７】
前記材料は水素を備える、請求項１の方法。
【請求項８】
前記材料は水素を含み、前記プラズマ粒子は水素のフリーラジカルを含み、
前記基板表面上の前記デブリはスズ又は炭素を含み、
前記放出される化学物質は、前記デブリがスズを含む場合には水素化スズを、又は、前記デブリが炭素を含む場合にはメタンを含む、請求項１の方法。
【請求項９】
前記電流を電磁的に誘起することは、前記非導電体に隣接する電気導体を通じて電流を流すことを備え、前記電気導体を通じて前記電流を流すことは、第１の周波数の第１の電流を前記電気導体に印加すること、及び前記第１の周波数とは異なる第２の周波数の第２の電流を前記電気導体に印加することを備える、請求項１の方法。
【請求項１０】
極端紫外線（ＥＵＶ）光源であって、
チャンバと、
ターゲットを前記チャンバ内の相互作用領域の方に向けるように構成されたターゲットデリバリシステムと、を備え、前記ターゲットはプラズマに変換されたときに極端紫外線光を放出する物質を備える、ＥＵＶ光源と、
曝露面を含む前記チャンバ内の構造物と、
前記構造物の付近にあり、前記チャンバから前記構造物を取り外すことなしに前記構造物の前記曝露面からターゲットデブリを除去するように構成された洗浄装置であって、
非導電体に接触する電気導体を備え、
前記非導電体に隣接する場所で電流を電磁的に誘起し、それによって前記チャンバ内に存在する材料を第１の状態からプラズマ粒子を含むプラズマ状態に変化させるように構成されており、前記プラズマ粒子のうち少なくともいくつかは前記材料のフリーラジカル及びイオンである、洗浄装置と、
を備える装置において、
前記非導電体は、前記構造物に対して、前記プラズマ粒子が前記構造物の前記曝露面上の前記デブリに接触するように構成される、装置。
【請求項１１】
前記電気導体に熱的に結合された温度制御システムを更に備え、前記温度制御システムは、前記洗浄装置に隣接する前記構造物の温度を閾値範囲内に維持するように構成された、請求項１０の装置。
【請求項１２】
前記温度制御システムは、前記電気導体の内部通路を通じて冷却流体を送り込むように構成された流体制御システムを含む、請求項１１の装置。
【請求項１３】
前記曝露面は光と光学的に相互作用するとともに前記光を修正する、請求項１０の装置。
【請求項１４】
前記曝露面を有する前記構造物と前記非導電体とは同一の物理的構造物である、請求項１０の装置。
【請求項１５】
前記曝露面を有する前記構造物は前記非導電体とは物理的に異なる、請求項１０の装置。
【請求項１６】
前記非導電体は、前記ターゲットデリバリシステムから前記相互作用領域への前記ターゲットのための通路を含むシュラウドを含む、請求項１０の装置。
【請求項１７】
前記曝露面を有する前記構造物は前記ＥＵＶ光源の集光ミラーであり、前記集光ミラーは前記プラズマから放出される前記ＥＵＶ光の少なくとも一部を捕捉するように位置決めされ、前記非導電体は前記集光ミラーの外面周りに位置決めされたリングを含む、請求項１０の装置。
【請求項１８】
前記曝露面を有する前記構造物は前記非導電体であり、
前記ＥＵＶ光源は、前記集光ミラーと中間焦点との間にライナを含み、
前記構造物は前記ライナを備え、前記ライナの内部表面は、前記集光ミラーから前記中間焦点に向かって反射された前記ＥＵＶ光に対向するとともに前記曝露構造物表面を構成する、請求項１０の装置。
【請求項１９】
前記ターゲットはスズを含み、前記材料は水素を含み、前記洗浄装置は、酸素の存在なしに前記構造物の前記曝露面からスズデブリ及び炭素デブリのうち１つ以上を除去するように構成される、請求項１０の装置。
【請求項２０】
前記洗浄装置は、前記非導電体に沿って電磁表面波を伝搬すること又は前記非導電体においてマイクロ波放射を発生させることによって、前記非導電体に隣接する場所で電流を電磁的に誘起するように構成される、請求項１０の装置。
【請求項２１】
極端紫外線（ＥＵＶ）光源であって、
チャンバと、
ターゲットを前記チャンバ内の相互作用領域の方に向けるように構成されたターゲットデリバリシステムと、を備え、前記ターゲットはプラズマに変換されたときに極端紫外線光を放出する物質を備える、ＥＵＶ光源と、
前記ターゲットデリバリシステムから前記相互作用領域に延びるチャネルを定義する前記チャンバ内のシュラウドであって、前記シュラウドの外部表面は前記ターゲットから生成されるデブリに曝露され、
前記チャネルを定義する非導電体と、
前記非導電体に隣接する電気導体と、を含み、
前記電気導体は、前記シュラウドに隣接する場所で電流を電磁的に誘起し、それによって前記チャンバ内に存在する材料を第１の状態からプラズマ粒子を含むプラズマ状態に変化させ、前記プラズマ粒子のうち少なくともいくつかは前記材料のフリーラジカル及びイオンである、シュラウドと、
を備える装置において、
前記電気導体は、前記非導電体に対して、前記プラズマ粒子が前記曝露シュラウド表面に固定されたデブリと化学反応し、それによって前記曝露シュラウド表面から前記デブリを放出するように位置決めされる、装置。
【請求項２２】
前記電気導体は前記非導電体の外部表面に回り込み、前記電気導体は誘電体材料で被覆される、請求項２１の装置。
【国際調査報告】
2021513097.tif 000047
2021513097.tif 000048
2021513097.tif 000049